(57)【要約】【課題】従来の器で、同一アルコール飲料を飲む場合に、毎回同一飲口より飲む為に何時も同じ飲み方になり、味わうのが単調で変化がない飲み方しか出来ない欠点があった。【解決手段】器に形状の異なる縁状飲口２の従来縁状飲口２ａ、平板突片縁状飲口２ｂ、半円突片縁状飲口２ｃ、波板突片縁状飲口２ｄと、筒状飲口３の一孔筒状飲口３ａ、二孔筒状飲口３ｂ、三孔筒状飲口３ｃ、横長孔筒状飲口３ｄと、孔状飲口４の一孔状飲口４ａ、二孔状飲口４ｂ、三孔状飲口４ｃ、横長孔状飲口４ｄと、突片孔状飲口５の弓板突片孔状飲口５ａ、平板突片孔状飲口５ｂ、半円突片孔状飲口５ｃ、波板突片孔状飲口５ｄとを、組み合わせて設けた形状の異なる複数の飲口を有する器１にすることにより、同一飲口だけから飲むのと比べて変化に富んだ飲み方ができ、飲む楽しみが増大することができる。【選択図】図７
2010006466.tif 000002
【特許請求の範囲】
【請求項１】
飲料を飲む器において、形状の異なる縁状飲口（２）を複数設けたことを特徴とする形状の異なる複数の飲口を有する器。
【請求項２】
飲料を飲む器において、形状の異なる筒状飲口（３）を複数設けたことを特徴とする形状の異なる複数の飲口を有する器。
【請求項３】
飲料を飲む器において、形状の異なる孔状飲口（４）を複数設けたことを特徴とする形状の異なる複数の飲口を有する器。
【請求項４】
飲料を飲む器において、形状の異なる突片孔状飲口（５）を複数設けたことを特徴とする形状の異なる複数の飲口を有する器。
【請求項５】
飲料を飲む器において、縁状飲口（２）と筒状飲口（３）を設けたことを特徴とする形状の異なる複数の飲口を有する器。
【請求項６】
飲料を飲む器において、縁状飲口（２）と孔状飲口（４）を設けたことを特徴とする形状の異なる複数の飲口を有する器。
【請求項７】
飲料を飲む器において、縁状飲口（２）と突片孔状飲口（５）を設けたことを特徴とする形状の異なる複数の飲口を有する器。
【請求項８】
飲料を飲む器において、筒状飲口（３）と孔状飲口（４）を設けたことを特徴とする形状の異なる複数の飲口を有する器。
【請求項９】
飲料を飲む器において、筒状飲口（３）と突片孔状飲口（５）を設けたことを特徴とする形状の異なる複数の飲口を有する器。
【請求項１０】
飲料を飲む器において、孔状飲口（４）と突片孔状飲口（５）を設けたことを特徴とする形状の異なる複数の飲口を有する器。
【請求項１１】
飲料を飲む器において、縁状飲口（２）と筒状飲口（３）及び孔状飲口（４）を設けたことを特徴とする形状の異なる複数の飲口を有する器。
【請求項１２】
飲料を飲む器において、縁状飲口（２）と筒状飲口（３）及び突片孔状飲口（５）を設けたことを特徴とする形状の異なる複数の飲口を有する器。
【請求項１３】
飲料を飲む器において、縁状飲口（２）と孔状飲口（４）及び突片孔状飲口（５）を設けたことを特徴とする形状の異なる複数の飲口を有する器。
【請求項１４】
飲料を飲む器において、筒状飲口（３）と孔状飲口（４）及び突片孔状飲口（５）を設けたことを特徴とする形状の異なる複数の飲口を有する器。
【請求項１５】
飲料を飲む器において、縁状飲口（２）と筒状飲口（３）と孔状飲口（４）及び突片孔状飲口（５）を設けたことを特徴とする形状の異なる複数の飲口を有する器。
【請求項１６】
零れ防止カバー（６）に形状の異なる複数の飲口を設け、該零れ防止カバー（６）を器（１）の上部に取り付けたことを特徴とする請求項２、３、４、５、６、７、８、９、１０、１１、１２、１３、１４、１５記載の形状の異なる複数の飲口を有する器。
【請求項１７】
飲口に口唇部位置ガイド（１３）を設けたことを特徴とする請求項１、２、３、４、５、６、７、８、９、１０、１１、１２、１３、１４、１５記載の形状の異なる複数の飲口を有する器。
【発明の詳細な説明】
【技術分野】
【０００１】  本発明は飲料を飲む器に関するもので、特にアルコール飲料（日本酒、ビール、ワイン、ブランデー、焼酎、ウイスキー等及び焼酎やウイスキー等の水割や湯割も含む）を飲む器（杯、ぐい呑、湯割呑、水割呑、コップ、グラス、ジョッキ等）に関する。
【背景技術】
【０００２】  従来の飲料を飲む器の飲口としては、器１の上縁１１から飲む縁状飲口２があり、上縁１１の厚さが異なるが飲口は同一形状からなる従来縁状飲口２ａや、上縁１１が内側や外側に同じ角度で反った同一形状からなる従来縁状飲口２ａ等があり、飲料の種類等によって器を選んでいた。【０００３】  それと、器１に設けた流出筒８から飲む筒状飲口３として、一孔の筒状飲口からなる乳児がミルクを飲む時に使用する哺乳瓶の哺乳瓶一孔筒状飲口（図示せず）や薬を飲む時に使用する薬のみ器の薬のみ器一孔筒状飲口（図示せず）及びジュースやお茶が入ったペットボトル容器の開け口が飲口となるペットボトル一孔筒状飲口（図示せず）がある。【０００４】  また、器１に設けた流出孔７から飲む孔状飲口４として、一孔の孔状飲口からなる缶ジュースや缶コーヒ及び缶ビール等のプルトップ缶の開け口の流出孔７が飲口となるプルトップ缶一孔状飲口（図示せず）がある。
【発明の表示】
【発明が解決しょうとする課題】
【０００５】  通常、同一飲料を飲む時は、飲み始めから飲み終るまで同一飲口（従来の縁状飲口の場合は飲口の位置は問わない）からなる同一器を使用しており、飲んでいる途中で器を変更することは面倒で、通常行われていなかった。
【０００６】  従来の従来縁状飲口２ａで飲料を飲む時は、口唇部が常時同一飲口にか接しないので、口唇部に常時同じ触感しか得られず感覚が単調になる欠点があった。
【０００７】  また、従来の従来縁状飲口２ａは、器１の上縁１１と口唇部の上唇中央部の隙間形状の大きさ及び器１の飲料流出傾斜角度により、流出する飲料の流出形状（横断面形状）や流出する流量が左右されるので、流出する飲料が口腔内に不安定（流出形状や流出量が均一でない）で流出する特徴があり、このために流出する飲料の流出形状や流出量が、曖昧（ぼんやり）な感覚しか得られない欠点があった。
【０００８】  また、従来の従来縁状飲口２ａで、アルコール飲料（以後酒と言う）を飲む場合に、毎回同一飲口より飲むために何時も同じ飲み方になり、味わうのが単調で変化がない飲み方しか出来ない欠点かあった。
【０００９】  また、酒等の嗜好品は、喉の渇きを潤わせる為だけでなくて、味覚（味覚器官に化学物質が刺激となって生じる感覚）、香り、コク（酒など深みのある濃い味わい）、キレ（さっぱりしているさま、すっきり感）、のどごし（のどごしの感覚を味わうとともに渇きが癒されることによる快感）等を嗜む（楽しむ）ものであり、同一種類の酒を毎回同一飲口から飲むので感覚がなれて、変化に富んだ一味違った味覚、香り、コク、キレ、のどごし等を味わうのに興味性がない欠点があった。
【００１０】  尚、縁状飲口２とは、飲口（器の飲料を飲むために口唇部がふれる部分）である器１の上部外側１０に下唇を押し付け、上唇中央部を少し開けてから器１を傾けると、器１に入れた飲料が器１の上縁１１と上唇中央部の隙間形状の大きさで口腔内に流出し、この飲料を上縁１１より飲む箇所を言う。
【００１１】  次に、筒状飲口３の哺乳瓶一孔筒状飲口や薬のみ器一孔筒状飲口は、器の飲口以外は蓋をした状態で使用し、器に入れた飲料を流出させて飲むのではなく、飲口から吸うことにより飲料を飲んでいた。（ストローで飲むのも同じである）
【００１２】  また、開け口が飲口となる、ペットボトル一孔筒状飲口は、口唇部に何時も同一触感しか得られないのと、開け口がネジの為に飲口を銜えたときに、ネジ山のギザギザが口唇部に良い感触が得られない欠点があるのと、飲口の流出筒８が短かくて先端流出孔９が大きいので飲料を飲む時に、飲口を銜えた上唇で孔を半塞ぎにして、ペットボトル内の飲料を飲まなければいけない欠点があった。
【００１３】  また、哺乳瓶一孔筒状飲口や薬のみ器一孔筒状飲口及びペットボトル一孔筒状飲口は、飲料を飲む為の飲口であり、飲料をあじわい（おもむき、おもしろみ等）や味わう（味のよさをたのしむ等）のには問題点があった。
【００１４】  それと、老人ホームで食事の介護をしているヘルパーの悩みは、入居者が食事の時にコップ等に入れたお茶ジュース等をよく零すことであり、お茶やジュースを哺乳瓶や薬のみ器で飲むのは子供や病人でないので嫌がり、器に入れたお茶等を零さず、飲むのに違和感がなく、楽しく飲むことができる飲口を有する器の開発が望まれていた。
【００１５】  尚、筒状飲口３とは、飲口の流出筒８を口唇部で銜え、器１を傾けると器１に入れた飲料が流出筒８を流動し、流出筒８の先端流出孔９の径と同一断面形状の大きさで流出形状や流出量等が安定して口腔内に流出する飲料を、先端流出孔９より飲む箇所を言う。
【００１６】  次に、孔状飲口４のプルトップ缶一孔状飲口は、口唇部に何時も同一感触しか得られない欠点と、金属の開け口が薄くて鋭利な為に下唇を傷つける恐れがある欠点と、また上唇には折り曲げたプルトップが触れるので、飲口に押し当てた口唇部に良い触感が得られない欠点があり、この飲口は唯飲料を飲む為の飲口であり、飲料をあじわいや味わうのには問題点があった。
【００１７】  尚、孔状飲口４とは、飲口に口唇部を押し付け、器１を傾けると器１に入れた飲料が流出孔７の径と同一断面形状の大きさで、流出形状や流出量が安定して口腔内に流出する飲料を、流出孔７より飲む箇所を言う。
【００１８】  それと、口腔内では口唇部と舌先部の触圧覚が最も鋭敏であることが、口腔医療関係者には常識として知られており、飲口にできるだけ多く口唇部と舌先部を接触させて、触圧覚により感覚を高め、特に嗜好品である酒等を味わいながら楽しく飲むことができる飲口を有する器１の開発が望まれていた。
【００１９】  また、飲料を直接のどに流し込むことができることにより、一味変わったのどごしを楽しむことができる飲口を有する器１の必要があり望まれていた。
【００２０】  また、飲料を口腔内に薄くて幅広く流出させることができることにより、コクやキレ及び香りをより一層楽しむことができる飲口を有する器１の開発の要望があった。
【００２１】  また、口腔内に流出する飲料の流出形状や流出量が、安定して口腔内に流出させることができることにより、味覚器の触覚をより一層起こさせることにより感覚を高める飲口を有する器１が要望されていた。
【００２２】  また、飲口より口腔内に流出する飲料の流出形状（筋状とか幅広状）、流出流量（少いとか多い）、流出位置（前方とか後方または側方）等の流出状態の違いを楽しむことができる飲口を有する器１の開発が望まれていた。
【課題を解決するための手段】
【００２３】  上記目的を達成するために、本発明の形状の異なる複数の飲口を有する器１としては、形状の異なる縁状飲口２を複数設けた器１にするとよい。
【００２４】  また、形状の異なる筒状飲口３を複数設けた器１にするとよい。
【００２５】  また、形状の異なる孔状飲口４を複数設けた器１にするとよい。
【００２６】  また、形状の異なる突片孔状飲口５を複数設けた器１にするとよい。
【００２７】  また、縁状飲口２と筒状飲口３を設けた器１にするとよい。
【００２８】  また、縁状飲口２と孔状飲口４を設けた器１にするとよい。
【００２９】  また、縁状飲口２と突片孔状飲口５を設けた器１にするとよい。
【００３０】  また、筒状飲口３と孔状飲口４を設けた器１にするとよい。
【００３１】  また、筒状飲口３と突片孔状飲口５を設けた器１にするとよい。
【００３２】  また、孔状飲口４と突片孔状飲口５を設けた器１にするとよい。
【００３３】  また、縁状飲口２と筒状飲口３及び孔状飲口４を設けた器１にするとよい。
【００３４】  また、縁状飲口２と筒状飲口３及び突片孔状飲口５を設けた器１にするとよい。
【００３５】  また、縁状飲口２と孔状飲口４及び突片孔状飲口５を設けた器１にするとよい。
【００３６】  また、筒状飲口３と孔状飲口４及び突片孔状飲口５を設けた器１にするとよい。
【００３７】  また、縁状飲口２と筒状飲口３と孔状飲口４及び突片孔状飲口５を設けた器１にするとよい。
【００３８】  そして、零れ防止カバー６に形状の異なる複数の飲口を設け、該零れ防止カバー６を器１の上部に取り付けた器１にするとよい。
【００３９】  また、飲口に口唇部位置ガイド１３を設けた器１を提供することで上記課題を解決する。
【発明の効果】
【００４０】  本発明は、以下に記載されるような効果を奏する。
【００４１】  請求項１によれば、従来縁状飲口２ａに平板突片１５ｂや半円突片１５ｃ及び波板突片１５ｄを設けた縁状飲口２にすることで、従来縁状飲口２ａに比べて各突片１５に口唇部と舌先部をより多く接触することができるので、従来縁状飲口２ａより触圧覚が多くなり感覚を高めることができ、また口腔内に流出する飲料の流出形状や流出量の違いを、平板突片縁状飲口２ｂや半円突片縁状飲口２ｃ及び波板突片縁状飲口２ｄと飲み比べることが可能となり、従来縁状飲口２ａの同一飲口だけから飲むのと比べて変化に富んだ飲み方ができ、飲む楽しみが増大する効果がある。
【００４２】  また、従来縁状飲口２ａに平板突片１５ｂを設けた平板突片縁状飲口２ｂにすることにより、器１の上縁１１と平板突片１５ｂとの段差２０が、上縁１１と口唇部の上唇中央部の隙間形状の大きさとなり、器１の飲料が平板突片１５ｂの平板上面を流動し、平板形状の幅広状で略安定して口腔内に流出させることができる利点があり、このために所要の幅広状で略安定して流出する飲料の流出状態を略はっきりと触覚することができる効果がある。
【００４３】  また、従来縁状飲口２ａに半円突片１５ｃを設けた半円突片縁状飲口２ｃにすることにより、器１の上縁１１と半円突片１５ｃとの段差２０が、上縁１１と口唇部の上唇中央部の隙間形状の大きさとなり、器１の飲料が半円突片１５ｃの半円内を流動し、半円形状の一筋状で略安定して口腔内に流出させることができる利点があり、このために所要の半円形状の一筋状で流出する飲料の流出状態を略はっきりと触覚することができる効果がある。
【００４４】  また、従来縁状飲口２ａに波板突片１５ｄを設けた波板突片縁状飲口２ｄにすることにより、器１の上縁１１と波板突片１５ｄとの段差２０が、上縁１１と口唇部の上唇中央部の隙間形状の大きさとなり、器１の飲料が波板突片１５ｄの二つの半円内を流動し、半円形状の二筋状で略安定して口腔内に流出させることができる利点があり、このために所要の半円形状の二筋状で流出する飲料の流出状態を略はっきりと触覚することができる効果がある。
【００４５】  尚、従来縁状飲口２ａより流出する飲料は、口腔内の前方に流出するが、各突片１５を設けた飲口は、突片１５の先端流出部１６より流出するので、従来縁状飲口２ａより飲料を後方に流出させる効果がある。
【００４６】  請求項２によれば、筒状飲口３の一孔筒状飲口３ａを二孔からなる二孔筒状飲口３ｂや三孔からなる三孔筒状飲口３ｃ及び横長孔からなる横長孔筒状飲口３ｄの筒状飲口３にすることで、二孔筒状飲口３ｂや三孔筒状飲口３ｃ及び横長孔筒状飲口３ｄは筒状飲口３の表面積が大きくなり、筒状飲口３に口唇部と舌先部をより多く接触することができるので、一孔筒状飲口３ａに比べて触圧覚が多くなり感覚を高めることができ、また口腔内に流出する飲料の流出形状や流出量の違いを、飲み比べることが可能となり、変化に富んだ飲み方ができ、飲む楽しみが増大する効果がある。
【００４７】  尚、一孔筒状飲口３ａは、器１の飲料が流出筒８の一個の先端流出孔９より孔形状の一筋状で安定して口腔内に流出させることができる利点があり、このために所要の孔形状の一筋状で流出する飲料の流出状態をはっきりと触覚することができる効果がある。
【００４８】  また、二孔筒状飲口３ｂにすることにより、器１の飲料が流出筒８の二個の先端流出孔９より孔形状の二筋状で安定して口腔内に流出させることができる利点があり、このために所要の孔形状の二筋状で流出する飲料の流出状態をはっきりと触覚することができる効果がある。
【００４９】  また、三孔筒状飲口３ｃにすることにより、器１の飲料が流出筒８の三個の先端流出孔９より孔形状の三筋状で安定して口腔内に流出させることができる利点があり、このために所要の孔形状の三筋状で流出する飲料の流出状態をはっきりと触覚することができる効果がある。
【００５０】  また、横長孔筒状飲口３ｄにすることにより、器１の飲料が流出筒８の先端流出孔９より横長孔形状の幅広状で安定して口腔内に流出させることができる利点があり、このために所要の横長孔形状の幅広状で流出する飲料の流出状態をはっきりと触覚することができる効果がある。
【００５１】  尚、筒状飲口３は、流出筒８の長さや、流出筒８を銜える位置や角度により、口腔内に流出する飲料を自由にコントロールすることができるので、飲料を口腔内の前方や後方および側方にでも、自由に流出させることができる利点がある。
【００５２】  請求項３によれば、孔状飲口４の一孔からなる一孔状飲口４ａを二孔からなる二孔状飲口４ｂや三孔からなる三孔状飲口３ｃ及び横長孔からなる横長孔状飲口４ｄの孔状飲口４にすることで、二孔状飲口４ｂや三孔状飲口４ｃ及び横長孔状飲口４ｄは孔状飲口４の面積が大きくなり、孔状飲口４に口唇部と舌先部をより多く接触することができるので、一孔状飲口４ａ比べて触圧覚が多くなり感覚を高めることができ、また口腔内に流出する飲料の流出状態の違いを、飲み比べることが可能となり、変化に富んだ飲み方ができ、飲む楽しみが増大する効果がある。
【００５３】  尚、一孔からなる一孔状飲口４ａは、器１の飲料が一個の流出孔７より孔形状の一筋状で安定して口腔内に流出させることができる利点があり、このために所要の孔形状の一筋状で流出する飲料の流出状態をはっきりと触覚することができる効果がある。
【００５４】  また、二孔状飲口４ｂにすることにより、器１の飲料が二個の流出孔７より孔形状の二筋状で安定して口腔内に流出させることができる利点があり、このために所要の孔形状の二筋状で流出する飲料の流出状態をはっきりと触覚することができる効果がある。
【００５５】  また、三孔状飲口４ｃにすることにより、器１の飲料が三個の流出孔７より孔形状の三筋状で安定して口腔内に流出させることができる利点があり、このために所要の孔形状の三筋状で流出する飲料の流出状態をはっきりと触覚することができる効果がある。
【００５６】  また、横長孔状飲口４ｄにすることにより、器１の飲料が横長流出孔７より横長形状の幅広状で安定して口腔内に流出させることができる利点があり、このために所要の横長孔形状の幅広状で流出する飲料の流出状態をはっきりと触覚することができる効果と、上記孔状飲口２は構造が簡単であり、製作が容易に行うことができる利点もある。
【００５７】  請求項４によれば、横長孔状飲口４ｄに弓板突片１５ａや平板突片１５ｂ及び波板突片１５ｄを設けた突片孔状飲口５にすることで、横長孔状飲口４ｄに比べて各突片１５に口唇部と舌先部をより多く接触することができるので、横長孔状飲口４ｄより触圧覚が多くなり感覚を高めることができ、また口腔内に流出する飲料の流出状態の違いを、飲み比べることが可能となり、変化に富んだ飲み方ができ、飲む楽しみが増大する効果がある。
【００５８】  また、一孔状飲口４ａに半円突片１５ｃを設けた突片孔状飲口５にすることで、一孔状飲口４ａに比べて半円突片１５ｃに、口唇部と舌先部をより多く接触することができるので、一孔状飲口４ａより触圧覚が多くなり感覚を高めることができ、また口腔内に流出する飲料の流出状態の違いを、弓板突片孔状飲口５ａや平板突片孔状飲口５ｂ及び波板突片孔状飲口５ｄと飲み比べることが可能となり、変化に富んだ飲み方ができ、飲む楽しみが増大する効果がある。
【００５９】  尚、突片孔状飲口５とは、飲口に突片１５を銜えて口唇部を押し付け、器１を傾けると器１に入れた飲料が流出孔７に設けた突片１５の上面を流動し、流出孔７と同一断面形状の大きさで、流出形状や流出量が安定して口腔内に流出する飲料を、流出孔７より飲む箇所を言う。
【００６０】  また、横長孔状飲口４ｄに弓板突片１５ａを設けた弓板突片孔状飲口５ａとすることにより、器１の飲料が流出孔７より弓板突片１５ａを流動し、弓板形状の中央部が厚くて両端が薄い幅広状で、安定して口腔内に流出させることができる利点があり、このために所要の弓板形状の中央部が厚くて両端が薄い幅広状で、流出する飲料の流出状態をはっきりと触覚することができる効果がある。
【００６１】  また、横長孔状飲口４ｄに平板突片１５ｂを設けた平板突片孔状飲口５ｂとすることにより、器１の飲料が流出孔７より平板突片１５ｂを流動し、平板形状の幅広状で安定して口腔内に流出させることができる利点があり、このために所要の平板形状の幅広状で流出する飲料の流出状態を、はっきりと触覚することができる効果がある。
【００６２】  また、横長孔状飲口４ｄに波板突片１５ｄを設けた波板突片孔状飲口５ｄにすることにより、器１の飲料が流出孔７より波板突片１５ｄを流動し、半円形状の二筋状で安定して口腔内に流出させることができる利点があり、このために所要の半円形状の二筋状で流出する飲料の流出状態を、はっきりと触覚することができる効果がある。
【００６３】  また、一孔状飲口４ａに半円突片１５ｃを設けた半円突片孔状飲口５ｃにすることにより、器１の飲料が流出孔７より半円突片１５ｃの半円内を流動し、半円形状の一筋状で安定して口腔内に流出させることができる利点があり、このために所要の半円形状の一筋状で流出する飲料の流出状態を、はっきりと触覚することがきる効果がある。
【００６４】  よって、飲口に流出筒８や突片１５を設けた半円突片縁状飲口２ｃ、波板突片縁状飲口２ｄ、一孔筒状飲口３ａ、二孔筒状飲口３ｂ、三孔筒状飲口３ｃ、半円突片孔状飲口５ｃ、波板突片孔状飲口５ｄは、飲料を直接口腔内の後方に流出させることが可能となり、のどの奥にある味蕾は、水や二酸化炭素によく応答するので、水やビール等の一味変わったのどごしを楽しむことが可能で、特にビールには好適である。
【００６５】  尚、上記飲口の流出筒８や突片１５を設けた器１を、ビールの研究開発や品質管理の官能テスト用として利用することも可能で、のどごし等の官能テストを容易に行うことができる多数の効果を奏する。
【００６６】  また、飲口に流出筒８や突片１５を設けた平板突片縁状飲口２ｂ、横長孔筒状飲口３ｄ、横長孔状飲口４ｄ、弓板突片孔状飲口５ａ、平板突片孔状飲口５ｂは、飲料を直接口腔内に薄く幅広状に流出させることが可能なため、特に酒のコクやキレ及び香りを、より一層楽しむことができる著しい効果があるのと、また嗜好品であるコーヒや紅茶及び日本茶の口腔内から鼻腔に抜ける香りを、より一層楽しむことができる著しい効果もある。
【００６７】  そして、飲口に流出筒８や突片１５を設けた平板突片縁状飲口２ｂ、横長孔筒状飲口３ｄ横長孔状飲口４ｄ、弓板突片孔状飲口５ａ、平板突片孔状飲口５ｂは、飲料を直接口腔内に薄く幅広状に流出させることが可能なため、酒の品質（コクやキレ及び香り等）の研究開発や品質管理において、コクやキレ及び香り等の官能テストを容易に行うことができるので、官能テスト用として用いることも可能である。
【００６８】  請求項５によれば、縁状飲口２の従来縁状飲口２ａや〔００４１〕、〔００４２〕、〔００４３〕、〔００４４〕、〔００４５〕に、記載の平板突片縁状飲口２ｂや半円突片縁状飲口２ｃ及び波板突片縁状飲口２ｄと、筒状飲口３の〔００４６〕、〔００４７〕、〔００４８〕、〔００４９〕、〔００５０〕、〔００５１〕に、記載の一孔筒状飲口３ａや二孔筒状飲口３ｂや三孔筒状飲口３ｃ及び横長孔筒状飲口３ｄとを、組み合わせて設けた器１にすることにより、口腔内に流出する飲料の流出形状や流出量の違いを、飲み比べることが可能となり、縁状飲口２だけのときよりも、一段と変化に富んだ飲み方ができ、飲む楽しみが増大する効果がある。
【００６９】  請求項６によれば、縁状飲口２の従来縁状飲口２ａや〔００４１〕、〔００４２〕、〔００４３〕、〔００４４〕、〔００４５〕に、記載の平板突片縁状飲口２ｂや半円突片縁状飲口２ｃ及び波板突片縁状飲口２ｄと、孔状飲口４の〔００５２〕、〔００５３〕、〔００５４〕、〔００５５〕、〔００５６〕に、記載の一孔状飲口４ａや二孔状飲口４ｂや三孔状飲口４ｃ及び横長孔状飲口４ｄとを、組み合わせて設けた器１にすることにより、口腔内に流出する飲料の流出形状や流出量の違いを、飲み比べることが可能となり、縁状飲口２だけのときよりも、より一段と変化に富んだ飲み方ができ、飲む楽しみが増大する効果がある。
【００７０】  請求項７によれば、縁状飲口２の従来縁状飲口２ａや〔００４１〕、〔００４２〕、〔００４３〕、〔００４４〕、〔００４５〕に、記載の平板突片縁状飲口２ｂや半円突片縁状飲口２ｃ及び波板突片縁状飲口２ｄと、突片孔状飲口５の〔００５７〕、〔００５８〕、〔００５９〕、〔００６０〕、〔００６１〕、〔００６２〕、〔００６３〕に、記載の弓板突片孔状飲口５ａや平板突片孔状飲口５ｂや半円突片孔状飲口５ｃ及び波板突片孔状飲口５ｄとを、組み合わせて設けた器１にすることにより、口腔内に流出する飲料の流出形状や流出量の違いを、飲み比べることが可能となり、縁状飲口２だけのときよりも、一段と変化に富んだ飲み方ができ、飲む楽しみが増大する効果がある。
【００７１】  請求項８によれば、筒状飲口３の〔００４６〕、〔００４７〕、〔００４８〕、〔００４９〕、〔００５０〕、〔００５１〕に、記載の一孔筒状飲口３ａや二孔筒状飲口３ｂや三孔筒状飲口３ｃ及び横長孔筒状飲口３ｄと、孔状飲口４の〔００５２〕、〔００５３〕、〔００５４〕、〔００５５〕、〔００５６〕に、記載の一孔状飲口４ａや二孔状飲口４ｂや三孔状飲口４ｃ及び横長孔状飲口４ｄとを、組み合わせて設けた器１にすることにより、口腔内に流出する飲料の流出形状や流出量の違いを、飲み比べることが可能となり、筒状飲口３だけのときよりも、一段と変化に富んだ飲み方ができ、飲む楽しみが増大する効果がある。
【００７２】  請求項９によれば、筒状飲口３の〔００４６〕、〔００４７〕、〔００４８〕、〔００４９〕、〔００５０〕、〔００５１〕に、記載の一孔筒状飲口３ａや二孔筒状飲口３ｂや三孔筒状飲口３ｃ及び横長孔筒状飲口３ｄと、突片孔状飲口５の〔００５７〕、〔００５８〕、〔００５９〕、〔００６０〕、〔００６１〕、〔００６２〕、〔００６３〕に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、筒状飲口３だけのときよりも、一段と変化に富んだ飲み方ができ、飲む楽しみが増大する効果がある。
【００７３】  請求項１０によれば、孔状飲口４の〔００５２〕、〔００５３〕、〔００５４〕、〔００５５〕、〔００５６〕に、記載の一孔状飲口４ａや二孔状飲口４ｂや三孔状飲口４ｃ及び横長孔状飲口４ｄと、突片孔状飲口５の〔００５７〕、〔００５８〕、〔００５９〕、〔００６０〕、〔００６１〕、〔００６２〕、〔００６３〕に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、孔状飲口４だけのときよりも、一段と変化に富んだ飲み方ができ、飲む楽しみが増大する効果がある。
【００７４】  請求項１１によれば、縁状飲口２の従来縁状飲口２ａや〔００４１〕、〔００４２〕、〔００４３〕、〔００４４〕、〔００４５〕に、記載の平板突片縁状飲口２ｂや半円突片縁状飲口２ｃ及び波板突片縁状飲口２ｄと、筒状飲口３の〔００４６〕、〔００４７〕、〔００４８〕、〔００４９〕、〔００５０〕、〔００５１〕に、記載の一孔筒状飲口３ａや二孔筒状飲口３ｂや三孔筒状飲口３ｃ及び横長孔筒状飲口３ｄと、孔状飲口４の〔００５２〕、〔００５３〕、〔００５４〕、〔００５５〕、〔００５６〕に、記載の一孔状飲口４ａや二孔状飲口４ｂと三孔状飲口４ｃ及び横長孔状飲口４ｄとを、組み合わせて設けた器１にすることにより、口腔内に流出する飲料の流出形状や流出量の違いを、飲み比べることが可能となり、縁状飲口２と筒状飲口４だけのときよりも、なお一段と変化に富んだ飲み方ができ、飲む楽しみが一層増大する効果がある。
【００７５】  請求項１２によれば、縁状飲口２の従来縁状飲口２ａや〔００４１〕、〔００４２〕、〔００４３〕、〔００４４〕、〔００４５〕に、記載の平板突片縁状飲口２ｂや半円突片縁状飲口２ｃ及び波板突片縁状飲口２ｄと、筒状飲口３の〔００４６〕、〔００４７〕、〔００４８〕、〔００４９〕、〔００５０〕、〔００５１〕に、記載の一孔筒状飲口３ａや二孔筒状飲口３ｂや三孔筒状飲口３ｃ及び横長孔筒状飲口３ｄと、突片孔状飲口５の〔００５７〕、〔００５８〕、〔００５９〕、〔００６０〕、〔００６１〕、〔００６２〕、〔００６３〕に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、縁状飲口２と筒状飲口４だけのときよりも、なお一段と変化に富んだ飲み方ができ、飲む楽しみが一層増大する効果がある。
【００７６】  請求項１３によれば、縁状飲口２の従来縁状飲口２ａや〔００４１〕、〔００４２〕、〔００４３〕、〔００４４〕、〔００４５〕に、記載の平板突片縁状飲口２ｂや半円突片縁状飲口２ｃ及び波板突片縁状飲口２ｄと、孔状飲口４の〔００５２〕、〔００５３〕、〔００５４〕、〔００５５〕、〔００５６〕に、記載の一孔状飲口４ａや二孔状飲口４ｂや三孔状飲口４ｃ及び横長孔状飲口４ｄと、突片孔状飲口５の〔００５７〕、〔００５８〕、〔００５９〕、〔００６０〕、〔００６１〕、〔００６２〕、〔００６３〕に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、縁状飲口２と孔状飲口４だけのときよりも、なお一段と変化に富んだ飲み方ができ、飲む楽しみが一層増大する効果がある。
【００７７】  請求項１４によれば、筒状飲口３の〔００４６〕、〔００４７〕、〔００４８〕、〔００４９〕、〔００５０〕、〔００５１〕に、記載の一孔筒状飲口３ａや二孔筒状飲口３ｂや三孔筒状飲口３ｃ及び横長孔筒状飲口３ｄと、孔状飲口４の〔００５２〕、〔００５３〕、〔００５４〕、〔００５５〕、〔００５６〕に、記載の一孔状飲口４ａや二孔状飲口４ｂや三孔状飲口４ｃ及び横長孔状飲口４ｄと、突片孔状飲口５の〔００５７〕、〔００５８〕、〔００５９〕、〔００６０〕、〔００６１〕、〔００６２〕、〔００６３〕に、記載の弓板突片孔状飲口５ａや平板突片孔状飲口５ｂや半円突片孔状飲口５ｃ及び波板突片孔状飲口５ｄとを、組み合わせて設けた器１にすることにより、口腔内に流出する飲料の流出形状や流出量の違いを、飲み比べることが可能となり、筒状飲口３と孔状飲口４だけのときよりも、なお一段と変化に富んだ飲み方ができ、飲む楽しみが一層増大する効果がある。
【００７８】  請求項１５によれば、縁状飲口２の従来縁状飲口２ａや〔００４１〕、〔００４２〕、〔００４３〕、〔００４４〕、〔００４５〕に、記載の平板突片縁状飲口２ｂや半円突片縁状飲口２ｃ及び波板突片縁状飲口２ｄと、筒状飲口３の〔００４６〕、〔００４７〕、〔００４８〕、〔００４９〕、〔００５０〕、〔００５１〕に、記載の一孔筒状飲口３ａや二孔筒状飲口３ｂや三孔筒状飲口３ｃ及び横長孔筒状飲口３ｄと、孔状飲口４の〔００５２〕、〔００５３〕、〔００５４〕、〔００５５〕、〔００５６〕に、記載の一孔状飲口４ａや二孔状飲口４ｂや三孔状飲口４ｃ及び横長孔状飲口４ｄと、突片孔状飲口５の〔００５７〕、〔００５８〕、〔００５９〕、〔００６０〕、〔００６１〕、〔００６２〕、〔００６３〕に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、縁状飲口２と筒状飲口３及び孔状飲口４だけのときよりも、なお一段と変化に富んだ飲み方ができ、飲む楽しみが一層増大する効果がある。
【００７９】  請求項１６によれば、縁状飲口２は器１の上部外側１０に下唇を押し付け、上唇中央部を少し開けてから器１を傾けると、器１に入れた飲料が器１の上縁１１と上唇中央部の隙間形状の大きさで、上縁１１より流出して口腔内に入っており、この時上唇がカバーをして、器１より余分な流出や零れ落ちるのを防止しており、一方筒状飲口３や孔状飲口４および突片孔状飲口５を、器１の上部外側１０に設けた器１では、飲口に口唇部を押しつけて器１を傾けると、飲口より飲むことはできるが、器１に入れた飲料が器１の上縁１１より余分な流出や零れ落ち現象が起り、このために器１の上部に零れ防止カバー６を取り付けることにより、飲料が器１の上縁１１より余分な流出や零れ落ちるのを防止する効果がある。
【００８０】  よって、零れ防止カバー６に、筒状飲口３や孔状飲口４および突片孔状飲口５を設け、この零れ防止カバー６を器１の上部に取り付けた器１にすると、飲料を入れる器１の部分と、筒状飲口３や孔状飲口４および突片孔状飲口５を設けた零れ防止カバー６の部分を別々に製作し、後でこの零れ防止カバー６を器１の上部に取り付けて一体化することにより、形状の異なる複数の飲口を設けた器が簡単、容易に製作することができる利点がある。
【００８１】  また、筒状飲口３や孔状飲口４および突片孔状飲口５を設けた零れ防止カバー６に、飲料を注入する注入口１４を設けることにより、器１に飲料のスムーズな注入作業や注入状況や残量の確認ができる効果がある。
【００８２】  また、図９や図１０に示すように、零れ防止カバー６を器１の外側１０より広くした把手部１８を設けることにより、両手で把手部１８を握って器１を傾けたり、また片手で器１の外側１０を親指とその他の指で挟み、親指と人差し指で把手部１８の下側を支えることにより、器１を手から滑って落とすことなく器１に入れた飲料を飲むことができて、単純でデザイン的にも優れた把手の製作が簡単容易できる多数の効果を奏する。
【００８３】  また、図８に示すように、零れ防止カバー６を器１の外側１０より広くした雌螺子部１９ａ設け、一方の器１の外側１０の上部に雄螺子部１９ｂを設けることにより、形状の異なる複数の飲口を設けた零れ防止カバー６と器１が着脱自在となり、零れ防止カバー６の裏側や器１の内側１２の洗浄が簡単容易にできる効果がある。
【００８４】  また、使用目的により雄螺子部１９ｂを設けた器１に、組み合わせの異なる複数の飲口を持つ別の雌螺子部１９ａ設けた零れ防止カバー６を取り付けて飲料を楽しむことも可能となる。
【００８５】  請求項１７によれば、飲口に設けた口唇部位置ガイド１３に、口唇部を合わせることにより、最適な位置から器１の飲料を飲むことができる効果がある。
【００８６】  また、飲口に設けた口唇部位置ガイド１３にも、口唇部を接触させることができるので、口唇部の触圧覚がより多くなり、感覚を一段と高める効果がある。
【００８７】  また、孔状飲口４に口唇部位置ガイド１３を設けると、飲料飲み終り時に飲口より器１の外側１０に飲料の垂れ落ちるのを口唇部位置ガイド１３で受け止めることができることにより器１の外側１０を汚さない効果がある。
【００８８】  また、突片１５や流出筒８を設けた飲口においては、突片１５や流出筒８を取り付けた取付部１７に口唇部位置ガイド１３を設けることにより、取付部１７の補強ができる利点がある。
【００８９】  そして、コップ等に入れたお茶やジュース等をよく零すことがある高齢者等には、形状の異なる筒状飲口３や孔状飲口４を複数設けた零れ防止カバー６に把手部１８や雌螺子部１９ａ設け、一方に雄螺子部１９ｂを設けた器１を提供することにより、器１に入れたお茶やジュース等を零さず、飲むのに違和感がなく、楽しく飲むことができ、器１を手から滑って落とすことなく、器１の洗浄が簡単容易にでき、実用価値が大となる。
【００９０】  本発明は、以上のような効果と利点を有した、きわめて優秀な形状の異なる複数の飲口を有する器であり、器の付加価値を高めた優れた商品となる。
【発明を実施するための最良の形態】
【００９１】  以下、本発明の実施の形態を図１〜図１１に基づいて説明する。【００９２】  図１は本発明の縁状飲口２の従来縁状飲口２ａ、平板縁状飲口２ｂ、半円縁状飲口２ｃ、波板縁状飲口２ｄを組み合わせて、器１の上縁１１に四等分割の適宜位置に配設した一例を示す図であり、従来縁状飲口２ａにおいては、器１の外側１０に従来縁状飲口２ａから飲料を飲むのに最適な適宜位置で、口唇部の下唇に不快感を与えない所要形状からなる通常は紐状の口唇部位置ガイド１３が、下唇状に装設されている。【００９３】  そして、平板突片縁状飲口２ｂにおいては、口唇部に不快感を与えず器の大きさ等による所要寸法からなり通常は巾１０ｍｍ〜４０ｍｍ、長さ１０ｍｍ〜５０ｍｍ、厚さ２ｍｍ〜５ｍｍで、所要形状からなる通常は平板状片であるが、円盤状片、ハート形片、舌状片等も使用可能の突片１５の平板突片１５ｂを上縁１１より下側に、通常は２ｍｍ〜５ｍｍの所要段差２０を設け、平板突片１５ｂを器１の外側１０に向かって所要角度（通常、突片１５の傾斜角度は４５度であるが水平位置から垂直位置まで可能である）の上向きで突設固定し、〔００９２〕記載の口唇部位置ガイド１３で取付部１７を補強する状態で装設されている。【００９４】  また、半円突起縁状飲口２ｃにおいては、口唇部に不快感を与えず器の大きさ等による所要寸法からなり通常は内径１０ｍｍ〜３０ｍｍ、長さ１０ｍｍ〜５０ｍｍ、厚さ２ｍｍ〜５ｍｍの所要形状からなる通常は半円状片であるが、Ｕ字状片、ｖ字状片等も使用可能の突片１５の半円突片１５ｃを上縁１１より下側に、通常は半円突片１５ｃの内径だけの段差２０を設け、半円突片１５ｃを器１の外側１０に向かって所要角度の上向きで突設固定し、口唇部位置ガイド１３で取付部１７を補強する状態で装設されている。【００９５】  また、波板突片縁状飲口２ｄにおいては、口唇部に不快感を与えず器の大きさ等による所要寸法からなり通常は内径７ｍｍ〜１５ｍｍ、長さ１０ｍｍ〜５０ｍｍ、厚さ２ｍｍ〜５ｍｍの所要形状からなる通常は半円状片であるが、Ｕ字状片、ｖ字状片等も使用可能の半円突片１５ｃを通常は二個並設するが三個並設も可能で、この半円突片１５ｃを二個並設固定した突片１５の波板突片１５ｄを上縁１１より下側に、通常は波板突片１５ｃの内径だけの段差２０を設け、波板突片１５ｄを器１の外側１０に向かって所要角度の上向きで突設固定し、口唇部位置ガイド１３で取付部１７を補強する状態で装設されている。【００９６】  尚、縁状飲口２の従来縁状飲口２ａ、平板縁状飲口２ｂ、半円縁状飲口２ｃ、波板縁状飲口２ｄを、器１の大きさ等により二種類から四種類を組み合わせて、器１の上縁１１に等分割の適宜位置に配設して用いる。【００９７】  次に、図２は本発明の筒状飲口３の一孔筒状飲口３ａ、二孔筒状飲口３ｂ、三孔筒状飲口３ｃ、横長孔筒状飲口３ｄを組み合わせ、中央部に注入口１４を穿設した零れ防止カバー６の四等分割の適宜位置に配設し、この零れ防止カバー６を器１の上縁１１に冠着固定した一例を示す図である。【００９８】  そして、器１の飲料が流出する筒状飲口３の一孔筒状飲口３ａ、二孔筒状飲口３ｂ、三孔筒状飲口３ｃの先端流出孔９や、後記する孔状飲口４の一孔状飲��４ａ、二孔状飲口４ｂ、三孔状飲口４ｃの流出孔７の形状は、通常は円形であるが、四角形、長方形、楕円形、菱形、ハート形、星形も使用可能である。【００９９】  また、先端流出孔９や流出孔７の孔大きさは、小孔、中孔、大孔があり、器１の大きさや使用目的により所要径の大きさの孔を適宜使用し、小孔は器１を傾けると先端流出孔９や流出孔７より流出する大きさで、直径１ｍｍ〜３ｍｍで、通常は２ｍｍを使用し、中孔は３ｍｍ〜６ｍｍで、通常は４．５ｍｍを使用し、大孔は６ｍｍ〜１２ｍｍで、通常は９ｍｍを使用し、孔と孔の間隔は、通常は孔の横幅を用いるが使用目的により所要間隔で開けることも可能で、複数孔を使用する時には通常横に併設するが、縦に併設するのも可能であるのと、小孔、中孔、大孔を組み合わせて使用することも好適な態様である。【０１００】  また、横長孔筒状飲口３ｄや横長孔状飲口４ｄの先端流出孔９や流出孔７の形状は、通常は横長状楕円形であるが長方形も使用可能であり、孔の大きさは、縦１ｍｍ〜６ｍｍで横１０ｍｍ〜４０ｍｍの横長孔を、器１の大きさや使用目的により所要の大きさの横長孔を適宜使用するが、小孔を５個から７個位横長状に並べて使用することも可能である。【０１０１】  また、筒状飲口３の一孔筒状飲口３ａの筒形状は、通常は所要の円形状中空筒を使用するが、三角形状や四角形状及び球形状や楕円形状の中空筒も使用可能であり、二孔筒状飲口３ｂや三孔筒状飲口３ｃは、通常は所要の楕円形状中空筒の先端流出孔９の個所で二孔や三孔にするが、所要の円形状中空筒二併設や三併設も使用可能であり、横長孔筒状飲口３ｄは、通常所要の薄い楕円形状中空筒を使用するが、所要の薄い長方形状中空筒も使用可能である。【０１０２】  また、口唇部に不快感を与えず器の大きさ等により〔００９８〕、〔００９９〕、〔０１００〕に記載の所要形状で所要寸法からなる、一孔筒状飲口３ａと二孔筒状飲口３ｂと三孔筒状飲口３ｃ及び横長孔筒状飲口３ｄを、中央部に注入口１４を穿設した零れ防止カバー６の四等分割の適宜位置に、器１の外側１０に向かって所要角度（通常傾斜角度は４５度であるが水平位置から垂直位置まで可能である）の上向きで突設固定し、〔００９２〕記載の口唇部位置ガイド１３で各取付部１７を補強する状態で装設されて、この零れ防止カバー６を器１の上縁１１に冠着固定する。【０１０３】  尚、筒状飲口３の一孔筒状飲口３ａ、二孔筒状飲口３ｂ、三孔筒状飲口３ｃ、横長孔筒状飲口３ｄを、器１の大きさ等により二種類から四種類を組み合わせて、零れ防止カバー６の等分割の適宜位置に配設して、器１の上縁１１に冠着固定する。【０１０４】  次に、図３は本発明の孔状飲口４の一孔状飲口４ａ、二孔状飲口４ｂ、三孔状飲口４ｃ、横長孔状飲口４ｄを組み合わせ、中央部に注入口１４を穿設した零れ防止カバー６の四等分割の適宜位置に穿設し、この零れ防止カバー６を器１の上縁１１に冠着固定した一例を示す図である。【０１０５】  そして、口唇部に不快感を与えず器の大きさ等により〔００９８〕、〔００９９〕、〔０１００〕に記載の所要形状で所要寸法からなる、一孔状飲口４ａと二孔状飲口４ｂと三孔状飲口４ｃ及び横長孔状飲口４ｄを、中央部に注入口１４を穿設した零れ防止カバー６の四等分割の適宜位置に穿設し、この穿設した孔から飲料を最適に飲むことができ、口唇部に不快感を与えず孔状飲口４の大きさ等により、〔００９２〕記載の口唇部位置ガイド１３で孔状飲口４の回りを囲んだ状態でで装設されて、この零れ防止カバー６を器１の上縁１１に冠着固定する。【０１０６】  尚、孔状飲口４の一孔状飲口４ａ、二孔状飲口４ｂ、三孔状飲口４ｃ、横長孔状飲口４ｄを、器１の大きさ等により二種類から四種類を組み合わせて、零れ防止カバー６の等分割の適宜位置に穿設して、器１の上縁１１に冠着固定する。【０１０７】  次に、図４は本発明の突片孔状飲口５の弓板突片孔状飲口５ａ、平板突片孔状飲口５ｂ、半円突片孔状飲口５ｃ、波板突片孔状飲口５ｄを組み合わせ、中央部に注入口１４を穿設した零れ防止カバー６の四等分割の適宜位置に配設し、この零れ防止カバー６を器１の上縁１１に冠着固定した一例を示す図である。【０１０８】  そして、口唇部に不快感を与えず器の大きさ等により〔００９３〕、〔００９４〕、〔００９５〕に記載の所要形状で所要寸法からなる、突片１５の平板突片１５ｂと半円突片１５ｃと波板突片１５ｄ及び弓板突片１５ａを、中央部に注入口１４を穿設した零れ防止カバー６の四等分割の適宜位置に、各突片を配設する所要形状の孔を穿設し、この穿設した孔に平板突片１５ｂと半円突片１５ｃと波板突片１５ｄ及び弓板突片１５ａを、器１の外側１０に向かって所要角度（通常傾斜角度は４５度であるが水平位置から垂直位置まで可能である）の上向きで突設固定し、〔００９２〕記載の口唇部位置ガイド１３で各取付部１７を補強する状態で装設されて、この零れ防止カバー６を器１の上縁１１に冠着固定する。【０１０９】  また、弓板突片１５ａにおいては、口唇部に不快感を与えず器の大きさ等による所要寸法からなり、通常は縦幅２ｍｍ〜７ｍｍで、横幅１０ｍｍ〜４０ｍｍ、長さ１０ｍｍ〜５０ｍｍ、厚さ２ｍｍ〜５ｍｍの所要形状からなる弓状片を用いる【０１１０】  尚、突片孔状飲口５の弓板突片孔状飲口１５ａ、平板突片孔状飲口１５ｂ、半円突片孔状飲口１５ｃ、波板突片孔状飲口１５ｄを、器１の大きさ等により二種類から四種類を組み合わせて、零れ防止カバー６の等分割の適宜位置に配設して、器１の上縁１１に冠着固定する。【０１１１】  よって、前記した縁状飲口２の従来縁状飲口２ａ、平板縁状飲口２ｂ、半円縁状飲口２ｃ、波板縁状飲口２ｄや筒状飲口３の一孔筒状飲口３ａ、二孔筒状飲口３ｂ、三孔筒状飲口３ｃ、横長孔筒状飲口３ｄと孔状飲口４の一孔状飲口４ａ、二孔状飲口４ｂ、三孔状飲口４ｃ、横長孔状飲口４ｄ及び突片孔状飲口５の弓板突片孔状飲口５ａ、平板突片孔状飲口５ｂ、半円突片孔状飲口５ｃ、波板突片孔状飲口５ｄを、器１の大きさや使用目的等により二種類から四種類を組み合わせて、零れ防止カバー６や上縁１１の等分割の適宜位置に配設固定して、形状の異なる複数の飲口を有する器を製作する。【０１１２】  次に、図５は本発明の縁状飲口２の半円突片縁状飲口２ｃと孔状飲口４の二孔状飲口４ｂの二組を組み合わせて、半円突片縁状飲口２ｃの半円突片１５ｃを、器１の上縁１１に外側１０に向かって所要角度の上向きで突設固定し、口唇部位置ガイド１３���取付部１７を補強する状態で装設され、一方対向する位置に二孔状飲口４ｂが、半蓋状態の零れ防止カバー６の適宜位置に穿設し、この零れ防止カバー６を器１の上縁１１に冠着固定した一例を示す図である。【０１１３】  次に、図６は本発明の筒状飲口３の二孔筒状飲口３ｂと孔状飲口４の横長孔状飲口４ｄ及び突片孔状飲口５の平板突片孔状飲口５ｂの三組を組み合わせて、中央部に注入口１４を穿設した零れ防止カバー６の三等分割の適宜位置に配設し、この零れ防止カバー６を器１の上縁１１に冠着固定した一例を示す図である。【０１１４】  次に、図７は本発明の縁状飲口２の平板突片縁状飲口２ｂと筒状飲口３の横長孔筒状飲口３ｄと孔状飲口４の三孔状飲口４ｃ及び突片孔状飲口５の波板突片孔状飲口５ｄの四組を組み合わせて、平板突片縁状飲口２ｂの平板突片１５ｂを、器１の上縁１１に外側１０に向かって所要角度の上向きで突設固定し、平板突片縁状飲口２ｂ側部分を切り欠き、中央部に注入口１４を穿設した零れ防止カバー６の三等分割の適宜位置に筒状飲口３の横長孔筒状飲口３ｄと孔状飲口４の三孔状飲口４ｃ及び突片孔状飲口５を配設し、この零れ防止カバー６を器１の上縁１１に冠着固定した一例を示す図である。【０１１５】  次に、図８は本発明の筒状飲口３の横長孔筒状飲口３ｄと孔状飲口４の二孔状飲口４ｂ及び突片孔状飲口５の弓板突片孔状飲口５ａの三組を組み合わせ、零れ防止カバー６を器１より着脱自在にするための所要の雌螺子部１９ａ（螺子部分は図示せず）を周設し、中央部に注入口１４を穿設した零れ防止カバー６の三等分割の適宜位置に、筒状飲口３の横長孔筒状飲口３ｄと孔状飲口４の二孔状飲口４ｂ及び弓板突片孔状飲口５ａを配設し、この零れ防止カバー６を器１より着脱自在にするために、器１の上部外側１０に所要の雄螺子部１９ｂを刻設した一例を示し、矢印で零れ防止カバー６の開け閉めの回転方向及び着脱方向を示した図である。【０１１６】  次に、図９は本発明の筒状飲口３の一孔筒状飲口３ａと孔状飲口４の横長孔状飲口４ｄの二組を組み合わせて、器１の外側１０より所要部分だけ広くした把手部１８を突設し、中央部に注入口１４を穿設した零れ防止カバー６の二等分割の適宜位置に筒状飲口３の一孔筒状飲口３ａと孔状飲口４の横長孔状飲口４ｄを配設し、この把手部１８を突設した零れ防止カバー６を器１の上縁１１に冠着固定し、零れ防止カバー６に把手部１８を突設した一例を示す図である。【０１１７】  次に、図１０は本発明の縁状飲口２の従来縁状飲口２ａと筒状飲口３の二孔筒状飲口３ｂの二組を組み合わせて、従来縁状飲口２ａの対向する位置に、二孔筒状飲口３ｂが器１の外側１０より所要部分だけ広くした把手部１８を突設した半蓋状態の零れ防止カバー６の適宜位置に配設し、この把手部１８を突設した零れ防止カバー６を器１の上縁１１に冠着固定し、零れ防止カバー６に把手部１８を突設した一例を示す図である。【０１１８】  次に、図１１は本発明の筒状飲口３の三孔筒状飲口３ｃと横長孔筒状飲口３ｄの二組を組み合わせ、零れ防止カバー６を器１より着脱自在にするための所要の雌螺子部１９ａ（螺子部分は図示せず）を周設し、中央部に注入口１４を穿設した零れ防止カバー６の二等分割の適宜位���に、筒状飲口３の三孔筒状飲口３ｃと横長孔筒状飲口３ｄを配設し、器１の外側１０より所要部分だけ広くした把手部１８を雌螺子部１９ａに突設して、この零れ防止カバー６を器１より着脱自在にするために、器１の上部外側１０に所要の雄螺子部１９ｂを刻設した一例を示し、矢印で零れ防止カバー６の開け閉めの回転方向及び着脱方向を示した図である。【０１１９】  尚、図２、図３、図４、図５、図６、図７、図８、図９、図１０、図１１に示す零れ防止カバー６は、器１の大きさや使用目的により所要厚さの平板形状を使用するが、所要勾配からなる曲面板を用いることも可能である。【０１２０】  また、図２、図３、図４、図６、図７、図８、図９、図１１に示す注入口１４は、器１の大きさや飲口の種類及び飲口の配設位置等により、所要形状で通常は円形状を用いるが、四角形状や三角形状やハート形状及び扇形状も可能の所要大きさの注入口１４を適宜選定して用い、縁状飲口２を用いる場合には、注入口１４は不要になり、図５、図７、図１０に示す零れ防止カバー６を切り欠いて使用しするが、この零れ防止カバー６の半蓋状を任意形状にして用いることも可能である。【０１２１】  そして、器１や流出筒８や突片１５及び零れ防止カバー６や口唇部位置ガイド１３は、飲料の種類や使用目的等により、材質は陶磁器製、ガラス製、ステンレスやアルミミュムの金属製、プラスチック製、合成ゴム製等を使用し、特に雌螺子部１９ａや雄螺子部１９ｂを設ける器１や零れ防止カバー６にはプラスチック製を用い、材質に対応した最適な方法で製造する。
【図面の簡単な説明】
【０１２２】
【図１】  本発明の実施の形態を示す斜視図である。
【図２】  本発明の実施の形態を示す斜視図である。
【図３】  本発明の実施の形態を示す斜視図である。
【図４】  本発明の実施の形態を示す斜視図である。
【図５】  本発明の実施の形態を示す斜視図である。
【図６】  本発明の実施の形態を示す斜視図である。
【図７】  本発明の実施の形態を示す斜視図である。
【図８】  本発明の実施の形態を示す説明図である。
【図９】  本発明の実施の形態を示す斜視図である。
【図１０】  本発明の実施の形態を示す斜視図である。
【図１１】  本発明の実施の形態を示す説明図である。
【符号の説明】
【０１２３】  １    器
２    縁状飲口
３    筒状飲口
４    孔状飲口
５    突片孔状飲口
６    零れ防止カバー
７    口唇部位置ガイド
【図１】
2010006466.tif 000003
【図２】
2010006466.tif 000004
【図３】
2010006466.tif 000005
【図４】
2010006466.tif 000006
【図５】
2010006466.tif 000007
【図６】
2010006466.tif 000008
【図７】
2010006466.tif 000009
【図８】
2010006466.tif 000010
【図９】
2010006466.tif 000011
【図１０】
2010006466.tif 000012
【図１１】
2010006466.tif 000013
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
飲料を飲む器において、形状の異なる縁状飲口（２）を複数組み合わせて、器（１）に設けたことを特徴とする形状の異なる複数の飲口を有する器。
【請求項２】
飲料を飲む器において、形状の異なる筒状飲口（３）を複数組み合わせて、器（１）に設けたことを特徴とする形状の異なる複数の飲口を有する器。
【請求項３】
飲料を飲む器において、形状の異なる孔状飲口（４）を複数組み合わせて、器（１）に設けたことを特徴とする形状の異なる複数の飲口を有する器。
【請求項４】
飲料を飲む器において、形状の異なる突片孔状飲口（５）を複数組み合わせて、器（１）に設けたことを特徴とする形状の異なる複数の飲口を有する器。
【請求項５】
飲料を飲む器において、請求項１記載の縁状飲口（２）と請求項２記載の筒状飲口（３）を複数組み合わせて、器（１）に設けたことを特徴とする形状の異なる複数の飲口を有する器。
【請求項６】
飲料を飲む器において、請求項１記載の縁状飲口（２）と請求項３記載の孔状飲口（４）を複数組み合わせて、器（１）に設けたことを特徴とする形状の異なる複数の飲口を有する器。
【請求項７】
飲料を飲む器において、請求項１記載の縁状飲口（２）と請求項４記載の突片孔状飲口（５）を複数組み合わせて、器（１）に設けたことを特徴とする形状の異なる複数の飲口を有する器。
【請求項８】
飲料を飲む器において、請求項２記載の筒状飲口（３）と請求項３記載の孔状飲口（４）を複数組み合わせて、器（１）に設けたことを特徴とする形状の異なる複数の飲口を有する器。
【請求項９】
飲料を飲む器において、請求項２記載の筒状飲口（３）と請求項４記載の突片孔状飲口（５）を複数組み合わせて、器（１）に設けたことを特徴とする形状の異なる複数の飲口を有する器。
【請求項１０】
飲料を飲む器において、請求項３記載の孔状飲口（４）と請求項４記載の突片孔状飲口（５）を複数組み合わせて、器（１）に設けたことを特徴とする形状の異なる複数の飲口を有する器。
【請求項１１】
飲料を飲む器において、請求項１記載の縁状飲口（２）と請求項２記載の筒状飲口（３）及び請求項３記載の孔状飲口（４）を複数組み合わせて、器（１）に設けたことを特徴とする形状の異なる複数の飲口を有する器。
【請求項１２】
飲料を飲む器において、請求項１記載の縁状飲口（２）と請求項２記載の筒状飲口（３）及び請求項４記載の突片孔状飲口（５）を複数組み合わせて、器（１）に設けたことを特徴とする形状の異なる複数の飲口を有する器。
【請求項１３】
飲料を飲む器において、請求項１記載の縁状飲口（２）と請求項３記載の孔状飲口（４）及び請求項４記載の突片孔状飲口（５）を複数組み合わせて、器（１）に設けたことを特徴とする形状の異なる複数の飲口を有する器。
【請求項１４】
飲料を飲む器において、請求項２記載の筒状飲口（３）と請求項３記載の孔状飲口（４）及び請求項４記載の突片孔状飲口（５）を複数組み合わせて、器（１）に設けたことを特徴とする形状の異なる複数の飲口を有する器。
【請求項１５】
飲料を飲む器において、請求項１記載の縁状飲口（２）や請求項２記載の筒状飲口（３）と請求項３記載の孔状飲口（４）及び請求項４記載の突片孔状飲口（５）を複数組み合わせて、器（１）に設けたことを特徴とする形状の異なる複数の飲口を有する器。
【請求項１６】
零れ防止カバー（６）に形状の異なる複数の飲口を設け、該零れ防止カバー（６）を器（１）の上部に取り付けたことを特徴とする請求項２、３、４、５、６、７、８、９、１０、１１、１２、１３、１４、１５記載の形状の異なる複数の飲口を有する器。
【請求項１７】
飲口に口唇部位置ガイド（１３）を設けたことを特徴とする請求項１、２、３、４、５、６、７、８、９、１０、１１、１２、１３、１４、１５記載の形状の異なる複数の飲口を有する器。
【手続補正２】
【補正対象書類名】明細書
【補正対象項目名】全文
【補正方法】変更
【補正の内容】
【発明の詳細な説明】
【技術分野】
【０００１】  本発明は飲料を飲む器に関するもので、特にアルコール飲料（日本酒、ビール、ワイン、ブランデー、焼酎、ウイスキー等及び焼酎やウイスキー等の水割や湯割も含む）を飲む器（杯、ぐい呑、湯割呑、水割呑、コップ、グラス、ジョッキ等）に関する。
【背景技術】
【０００２】  従来の飲料を飲む器の飲口としては、器１の上縁１１から飲む縁状飲口２があり、上縁１１の厚さが異なるが飲口は同一形状からなる従来縁状飲口２ａや、上縁１１が内側や外側に同じ角度で反った同一形状からなる従来縁状飲口２ａ等があり、飲料の種類等によって器を選んでいた。【０００３】  それと、器１に設けた流出筒８から飲む筒状飲口３として、一孔の筒状飲口からなる乳児がミルクを飲む時に使用する哺乳瓶の哺乳瓶一孔筒状飲口（図示せず）や薬を飲む時に使用する薬のみ器の薬のみ器一孔筒状飲口（図示せず）及びジュースやお茶が入ったペットボトル容器の開け口が飲口となるペットボトル一孔筒状飲口（図示せず）がある。【０００４】  また、器１に設けた流出孔７から飲む孔状飲口４として、一孔の孔状飲口からなる缶ジュースや缶コーヒ及び缶ビール等のプルトップ缶の開け口の流出孔７が飲口となるプルトップ缶一孔状飲口（図示せず）がある。
【発明の開示】
【発明が解決しょうとする課題】
【０００５】  通常、同一飲料を飲む時は、飲み始めから飲み終るまで同一飲口（従来の縁状飲口の場合は飲口の位置は問わない）からなる同一器を使用しており、飲んでいる途中で器を変更することは面倒で、通常行われていなかった。
【０００６】  従来の従来縁状飲口２ａで飲料を飲む時は、口唇部が常時同一飲口にか接しないので、口唇部に常時同じ触感しか得られず感覚が単調になる欠点があった。
【０００７】  また、従来の従来縁状飲口２ａは、器１の上縁１１と口唇部の上唇中央部の隙間形状の大きさ及び器１の飲料流出傾斜角度により、流出する飲料の流出形状（横断面形状）や流出する流量が左右されるので、流出する飲料が口腔内に不安定（流出形状や流出量が均一でない）で流出する特徴があり、このために流出する飲料の流出形状や流出量が、曖昧（ぼんやり）な感覚しか得られない欠点があった。
【０００８】  また、従来の従来縁状飲口２ａで、アルコール飲料（以後酒と言う）を飲む場合に、毎回同一飲口より飲むために何時も同じ飲み方になり、味わうのが単調で変化がない飲み方しか出来ない欠点かあった。
【０００９】  また、酒等の嗜好品は、喉の渇きを潤わせる為だけでなくて、味覚（味覚器官に化学物質が刺激となって生じる感覚）、香り、コク（酒など深みのある濃い味わい）、キレ（さっぱりしているさま、すっきり感）、のどごし（のどごしの感覚を味わうとともに渇きが癒されることによる快感）等を嗜む（楽しむ）ものであり、同一種類の酒を毎回同一飲口から飲むので感覚がなれて、変化に富んだ一味違った味覚、香り、コク、キレ、のどごし等を味わうのに興味性がない欠点があった。
【００１０】  尚、縁状飲口２とは、飲口（器の飲料を飲むために口唇部がふれる部分）である器１の上部外側１０に下唇を押し付け、上唇中央部を少し開けてから器１を傾けると、器１に入れた飲料が器１の上縁１１と上唇中央部の隙間形状の大きさで口腔内に流出し、この飲料を上縁１１より飲む箇所を言う。
【００１１】  次に、筒状飲口３の哺乳瓶一孔筒状飲口や薬のみ器一孔筒状飲口は、器の飲口以外は蓋をした状態で使用し、器に入れた飲料を流出させて飲むのではなく、飲口から吸うことにより飲料を飲んでいた。（ストローで飲むのも同じである）
【００１２】  また、開け口が飲口となる、ペットボトル一孔筒状飲口は、口唇部に何時も同一触感しか得られないのと、開け口がネジの為に飲口を銜えたときに、ネジ山のギザギザが口唇部に良い感触が得られない欠点があるのと、飲口の流出筒８が短かくて先端流出孔９が大きいので飲料を飲む時に、飲口を銜えた上唇で孔を半塞ぎにして、ペットボトル内の飲料を飲まなければいけない欠点があった。
【００１３】  また、哺乳瓶一孔筒状飲口や薬のみ器一孔筒状飲口及びペットボトル一孔筒状飲口は、飲料を飲む為の飲口であり、飲料をあじわい（おもむき、おもしろみ等）や味わう（味のよさをたのしむ等）のには問題点があった。
【００１４】  それと、老人ホームで食事の介護をしているヘルパーの悩みは、入居者が食事の時にコップ等に入れたお茶やジュース等をよく零すことであり、お茶やジュースを哺乳瓶や薬のみ器で飲むのは子供や病人でないので嫌がり、器に入れたお茶等を零さず、飲むのに違和感がなく、楽しく飲むことができる飲口を有する器の開発が望まれていた。
【００１５】  尚、筒状飲口３とは、飲口の流出筒８を口唇部で銜え、器１を傾けると器１に入れた飲料が流出筒８を流動し、流出筒８の先端流出孔９の径と同一断面形状の大きさで流出形状や流出量等が安定して口腔内に流出する飲料を、先端流出孔９より飲む箇所を言う。
【００１６】  次に、孔状飲口４のプルトップ缶一孔状飲口は、口唇部に何時も同一感触しか得られない欠点と、金属の開け口が薄くて鋭利な為に下唇を傷つける恐れがある欠点と、また上唇には折り曲げたプルトップが触れるので、飲口に押し当てた口唇部に良い触感が得られない欠点があり、この飲口は唯飲料を飲む為の飲口であり、飲料をあじわいや味わうのには問題点があった。
【００１７】  尚、孔状飲口４とは、飲口に口唇部を押し付け、器１を傾けると器１に入れた飲料が流出孔７の径と同一断面形状の大きさで、流出形状や流出量が安定して口腔内に流出する飲料を、流出孔７より飲む箇所を言う。
【００１８】  それと、口腔内では口唇部と舌先部の触圧覚が最も鋭敏であることが、口腔医療関係者には常識として知られており、飲口にできるだけ多く口唇部と舌先部を接触させて、触圧覚により感覚を高め、特に嗜好品である酒等を味わいながら楽しく飲むことができる飲口を有する器１の開発が望まれていた。
【００１９】  また、飲料を直接のどに流し込むことができることにより、一味変わったのどごしを楽しむことができる飲口を有する器１の必要があり望まれていた。
【００２０】  また、飲料を口腔内に薄くて幅広く流出させることができることにより、コクやキレ及び香りをより一層楽しむことができる飲口を有する器１の開発の要望があった。
【００２１】  また、口腔内に流出する飲料の流出形状や流出量が、安定して口腔内に流出させることができることにより、味覚器の触覚をより一層起こさせることにより感覚を高める飲口を有する器１が要望されていた。
【００２２】  また、飲口より口腔内に流出する飲料の流出形状（筋状とか幅広状）、流出流量（少いとか多い）、流出位置（前方とか後方または側方）等の流出状態の違いを楽しむことができる飲口を有する器１の開発が望まれていた。
【課題を解決するための手段】
【００２３】  上記目的を達成するために、本発明の形状の異なる複数の飲口を有する器１としては、形状の異なる縁状飲口２を複数組み合わせて、器１に設けるとよい。
【００２４】  また、形状の異なる筒状飲口３を複数組み合わせて、器１に設けるとよい。
【００２５】  また、形状の異なる孔状飲口４を複数組み合わせて、器１に設けるとよい。
【００２６】  また、形状の異なる突片孔状飲口５を複数組み合わせて、器１に設けるとよい。
【００２７】  また、縁状飲口２と筒状飲口３を複数組み合わせて、器１に設けるとよい。
【００２８】  また、縁状飲口２と孔状飲口４を複数組み合わせて、器１に設けるとよい。
【００２９】  また、縁状飲口２と突片孔状飲口５を複数組み合わせて、器１に設けるとよい。
【００３０】  また、筒状飲口３と孔状飲口４を複数組み合わせて、器１に設けるとよい。
【００３１】  また、筒状飲口３と突片孔状飲口５を複数組み合わせて、器１に設けるとよい。
【００３２】  また、孔状飲口４と突片孔状飲口５を複数組み合わせて、器１に設けるとよい。
【００３３】  また、縁状飲口２と筒状飲口３及び孔状飲口４を複数組み合わせて、器１に設けるとよい。
【００３４】  また、縁状飲口２と筒状飲口３及び突片孔状飲口５を複数組み合わせて、器１に設けるとよい。
【００３５】  また、縁状飲口２と孔状飲口４及び突片孔状飲口５を複数組み合わせて、器１に設けるとよい。
【００３６】  また、筒状飲口３と孔状飲口４及び突片孔状飲口５を複数組み合わせて、器１に設けるとよい。
【００３７】  また、縁状飲口２や筒状飲口３と孔状飲口４及び突片孔状飲口５を複数組み合わせて、器１に設けるとよい。
【００３８】  そして、零れ防止カバー６に形状の異なる複数の飲口を設け、該零れ防止カバー６を器１の上部に取り付けた器１にするとよい。
【００３９】  また、飲口に口唇部位置ガイド１３を設けた器１を提供することで上記課題を解決する。
【発明の効果】
【００４０】  本発明は、以下に記載されるような効果を奏する。
【００４１】  請求項１によれば、従来縁状飲口２ａに平板突片１５ｂや半円突片１５ｃ及び波板突片１５ｄを設けた縁状飲口２にすることで、従来縁状飲口２ａに比べて各突片１５に口唇部と舌先部をより多く接触することができるので、従来縁状飲口２ａより触圧覚が多くなり感覚を高めることができ、また口腔内に流出する飲料の流出形状や流出量の違いを、平板突片縁状飲口２ｂや半円突片縁状飲口２ｃ及び波板突片縁状飲口２ｄと飲み比べることが可能となり、従来縁状飲口２ａの同一飲口だけから飲むのと比べて変化に富んだ飲み方ができ、飲む楽しみが増大する効果がある。
【００４２】  また、従来縁状飲口２ａに平板突片１５ｂを設けた平板突片縁状飲口２ｂにすることにより、器１の上縁１１と平板突片１５ｂとの段差２０が、上縁１１と口唇部の上唇中央部の隙間形状の大きさとなり、器１の飲料が平板突片１５ｂの平板上面を流動し、平板形状の幅広状で略安定して口腔内に流出させることができる利点があり、このために所要の幅広状で略安定して流出する飲料の流出状態を略はっきりと触覚することができる効果がある。
【００４３】  また、従来縁状飲口２ａに半円突片１５ｃを設けた半円突片縁状飲口２ｃにすることにより、器１の上縁１１と半円突片１５ｃとの段差２０が、上縁１１と口唇部の上唇中央部の隙間形状の大きさとなり、器１の飲料が半円突片１５ｃの半円内を流動し、半円形状の一筋状で略安定して口腔内に流出させることができる利点があり、このために所要の半円形状の一筋状で流出する飲料の流出状態を略はっきりと触覚することができる効果がある。
【００４４】  また、従来縁状飲口２ａに波板突片１５ｄを設けた波板突片縁状飲口２ｄにすることにより、器１の上縁１１と波板突片１５ｄとの段差２０が、上縁１１と口唇部の上唇中央部の隙間形状の大きさとなり、器１の飲料が波板突片１５ｄの二つの半円内を流動し、半円形状の二筋状で略安定して口腔内に流出させることができる利点があり、このために所要の半円形状の二筋状で流出する飲料の流出状態を略はっきりと触覚することができる効果がある。
【００４５】  尚、従来縁状飲口２ａより流出する飲料は、口腔内の前方に流出するが、各突片１５を設けた飲口は、突片１５の先端流出部１６より流出するので、従来縁状飲口２ａより飲料を後方に流出させる効果がある。
【００４６】  請求項２によれば、筒状飲口３の一孔筒状飲口３ａを二孔からなる二孔筒状飲口３ｂや三孔からなる三孔筒状飲口３ｃ及び横長孔からなる横長孔筒状飲口３ｄの筒状飲口３にすることで、二孔筒状飲口３ｂや三孔筒状飲口３ｃ及び横長孔筒状飲口３ｄは筒状飲口３の表面積が大きくなり、筒状飲口３に口唇部と舌先部をより多く接触することができるので、一孔筒状飲口３ａに比べて触圧覚が多くなり感覚を高めることができ、また口腔内に流出する飲料の流出形状や流出量の違いを、飲み比べることが可能となり、変化に富んだ飲み方ができ、飲む楽しみが増大する効果がある。
【００４７】  尚、一孔筒状飲口３ａは、器１の飲料が流出筒８の一個の先端流出孔９より孔形状の一筋状で安定して口腔内に流出させることができる利点があり、このために所要の孔形状の一筋状で流出する飲料の流出状態をはっきりと触覚することができる効果がある。
【００４８】  また、二孔筒状飲口３ｂにすることにより、器１の飲料が流出筒８の二個の先端流出孔９より孔形状の二筋状で安定して口腔内に流出させることができる利点があり、このために所要の孔形状の二筋状で流出する飲料の流出状態をはっきりと触覚することができる効果がある。
【００４９】  また、三孔筒状飲口３ｃにすることにより、器１の飲料が流出筒８の三個の先端流出孔９より孔形状の三筋状で安定して口腔内に流出させることができる利点があり、このために所要の孔形状の三筋状で流出する飲料の流出状態をはっきりと触覚することができる効果がある。
【００５０】  また、横長孔筒状飲口３ｄにすることにより、器１の飲料が流出筒８の先端流出孔９より横長孔形状の幅広状で安定して口腔内に流出させることができる利点があり、このために所要の横長孔形状の幅広状で流出する飲料の流出状態をはっきりと触覚することができる効果がある。
【００５１】  尚、筒状飲口３は、流出筒８の長さや、流出筒８を銜える位置や角度により、口腔内に流出する飲料を自由にコントロールすることができるので、飲料を口腔内の前方や後方および側方にでも、自由に流出させることができる利点がある。
【００５２】  請求項３によれば、孔状飲口４の一孔からなる一孔状飲口４ａを二孔からなる二孔状飲口４ｂや三孔からなる三孔状飲口３ｃ及び横長孔からなる横長孔状飲口４ｄの孔状飲口４にすることで、二孔状飲口４ｂや三孔状飲口４ｃ及び横長孔状飲口４ｄは孔状飲口４の面積が大きくなり、孔状飲口４に口唇部と舌先部をより多く接触することができるので、一孔状飲口４ａに比べて触圧覚が多くなり感覚を高めることができ、また口腔内に流出する飲料の流出状態の違いを、飲み比べることが可能となり、変化に富んだ飲み方ができ、飲む楽しみが増大する効果がある。
【００５３】  尚、一孔からなる一孔状飲口４ａは、器１の飲料が一個の流出孔７より孔形状の一筋状で安定して口腔内に流出させることができる利点があり、このために所要の孔形状の一筋状で流出する飲料の流出状態をはっきりと触覚することができる効果がある。
【００５４】  また、二孔状飲口４ｂにすることにより、器１の飲料が二個の流出孔７より孔形状の二筋状で安定して口腔内に流出させることができる利点があり、このために所要の孔形状の二筋状で流出する飲料の流出状態をはっきりと触覚することができる効果がある。
【００５５】  また、三孔状飲口４ｃにすることにより、器１の飲料が三個の流出孔７より孔形状の三筋状で安定して口腔内に流出させることができる利点があり、このために所要の孔形状の三筋状で流出する飲料の流出状態をはっきりと触覚することができる効果がある。
【００５６】  また、横長孔状飲口４ｄにすることにより、器１の飲料が横長流出孔７より横長形状の幅広状で安定して口腔内に流出させることができる利点があり、このために所要の横長孔形状の幅広状で流出する飲料の流出状態をはっきりと触覚することができる効果と、上記孔状飲口２は構造が簡単であり、製作が容易に行うことができる利点もある。
【００５７】  請求項４によれば、横長孔状飲口４ｄに弓板突片１５ａや平板突片１５ｂ及び波板突片１５ｄを設けた突片孔状飲口５にすることで、横長孔状飲口４ｄに比べて各突片１５に口唇部と舌先部をより多く接触することができるので、横長孔状飲口４ｄより触圧覚が多くなり感覚を高めることができ、また口腔内に流出する飲料の流出状態の違いを、飲み比べることが可能となり、変化に富んだ飲み方ができ、飲む楽しみが増大する効果がある。
【００５８】  また、一孔状飲口４ａに半円突片１５ｃを設けた半円突片孔状飲口５ｃにすることで、一孔状飲口４ａに比べて半円突片１５ｃに、口唇部と舌先部をより多く接触することができるので、一孔状飲口４ａより触圧覚が多くなり感覚を高めることができ、また口腔内に流出する飲料の流出状態の違いを、弓板突片孔状飲口５ａや平板突片孔状飲口５ｂ及び波板突片孔状飲口５ｄと飲み比べることが可能となり、変化に富んだ飲み方ができ、飲む楽しみが増大する効果がある。
【００５９】  尚、突片孔状飲口５とは、飲口に突片１５を銜えて口唇部を押し付け、器１を傾けると器１に入れた飲料が流出孔７に設けた突片１５の上面を流動し、流出孔７と同一断面形状の大きさで、流出形状や流出量が安定して口腔内に流出する飲料を、流出孔７より飲む箇所を言う。
【００６０】  また、横長孔状飲口４ｄに弓板突片１５ａを設けた弓板突片孔状飲口５ａとすることにより、器１の飲料が流出孔７より弓板突片１５ａを流動し、弓板形状の中央部が厚くて両端が薄い幅広状で、安定して口腔内に流出させることができる利点があり、このために所要の弓板形状の中央部が厚くて両端が薄い幅広状で、流出する飲料の流出状態をはっきりと触覚することができる効果がある。
【００６１】  また、横長孔状飲口４ｄに平板突片１５ｂを設けた平板突片孔状飲口５ｂとすることにより、器１の飲料が流出孔７より平板突片１５ｂを流動し、平板形状の幅広状で安定して口腔内に流出させることができる利点があり、このために所要の平板形状の幅広状で流出する飲料の流出状態を、はっきりと触覚することができる効果がある。
【００６２】  また、横長孔状飲口４ｄに波板突片１５ｄを設けた波板突片孔状飲口５ｄにすることにより、器１の飲料が流出孔７より波板突片１５ｄを流動し、半円形状の二筋状で安定して口腔内に流出させることができる利点があり、このために所要の半円形状の二筋状で流出する飲料の流出状態を、はっきりと触覚することができる効果がある。
【００６３】  また、一孔状飲口４ａに半円突片１５ｃを設けた半円突片孔状飲口５ｃにすることにより、器１の飲料が流出孔７より半円突片１５ｃの半円内を流動し、半円形状の一筋状で安定して口腔内に流出させることができる利点があり、このために所要の半円形状の一筋状で流出する飲料の流出状態を、はっきりと触覚することがきる効果がある。
【００６４】  よって、飲口に流出筒８や突片１５を設けた半円突片縁状飲口２ｃ、波板突片縁状飲口２ｄ、一孔筒状飲口３ａ、二孔筒状飲口３ｂ、三孔筒状飲口３ｃ、半円突片孔状飲口５ｃ、波板突片孔状飲口５ｄは、飲料を直接口腔内の後方に流出させることが可能となり、のどの奥にある味蕾は、水や二酸化炭素によく応答するので、水やビール等の一味変わったのどごしを楽しむことが可能で、特にビールには好適である。
【００６５】  尚、上記飲口の流出筒８や突片１５を設けた器１を、ビールの研究開発や品質管理の官能テスト用として利用することも可能で、のどごし等の官能テストを容易に行うことができる多数の効果を奏する。
【００６６】  また、飲口に流出筒８や突片１５を設けた平板突片縁状飲口２ｂ、横長孔筒状飲口３ｄ、横長孔状飲口４ｄ、弓板突片孔状飲口５ａ、平板突片孔状飲口５ｂは、飲料を直接口腔内に薄く幅広状に流出させることが可能なため、特に酒のコクやキレ及び香りを、より一層楽しむことができる著しい効果があるのと、また嗜好品であるコーヒや紅茶及び日本茶の口腔内から鼻腔に抜ける香りを、より一層楽しむことができる著しい効果もある。
【００６７】  そして、飲口に流出筒８や突片１５を設けた平板突片縁状飲口２ｂ、横長孔筒状飲口３ｄ横長孔状飲口４ｄ、弓板突片孔状飲口５ａ、平板突片孔状飲口５ｂは、飲料を直接口腔内に薄く幅広状に流出させることが可能なため、酒の品質（コクやキレ及び香り等）の研究開発や品質管理において、コクやキレ及び香り等の官能テストを容易に行うことができるので、官能テスト用として用いることも可能である。
【００６８】  請求項５によれば、縁状飲口２の従来縁状飲口２ａや［００４１］、［００４２］、［００４３］、［００４４］、［００４５］に、記載の平板突片縁状飲口２ｂや半円突片縁状飲口２ｃ及び波板突片縁状飲口２ｄと、筒状飲口３の［００４６］、［００４７］、［００４８］、［００４９］、［００５０］、［００５１］に、記載の一孔筒状飲口３ａや二孔筒状飲口３ｂや三孔筒状飲口３ｃ及び横長孔筒状飲口３ｄとを、組み合わせて設けた器１にすることにより、口腔内に流出する飲料の流出形状や流出量の違いを、飲み比べることが可能となり、縁状飲口２だけのときよりも、一段と変化に富んだ飲み方ができ、飲む楽しみが増大する効果がある。
【００６９】  請求項６によれば、縁状飲口２の従来縁状飲口２ａや［００４１］、［００４２］、［００４３］、［００４４］、［００４５］に、記載の平板突片縁状飲口２ｂや半円突片縁状飲口２ｃ及び波板突片縁状飲口２ｄと、孔状飲口４の［００５２］、［００５３］、［００５４］、［００５５］、［００５６］に、記載の一孔状飲口４ａや二孔状飲口４ｂや三孔状飲口４ｃ及び横長孔状飲口４ｄとを、組み合わせて設けた器１にすることにより、口腔内に流出する飲料の流出形状や流出量の違いを、飲み比べることが可能となり、縁状飲口２だけのときよりも、より一段と変化に富んだ飲み方ができ、飲む楽しみが増大する効果がある。
【００７０】  請求項７によれば、縁状飲口２の従来縁状飲口２ａや［００４１］、［００４２］、［００４３］、［００４４］、［００４５］に、記載の平板突片縁状飲口２ｂや半円突片縁状飲口２ｃ及び波板突片縁状飲口２ｄと、突片孔状飲口５の［００５７］、［００５８］、［００５９］、［００６０］、［００６１］、［００６２］、［００６３］に、記載の弓板突片孔状飲口５ａや平板突片孔状飲口５ｂや半円突片孔状飲口５ｃ及び波板突片孔状飲口５ｄとを、組み合わせて設けた器１にすることにより、口腔内に流出する飲料の流出形状や流出量の違いを、飲み比べることが可能となり、縁状飲口２だけのときよりも、一段と変化に富んだ飲み方ができ、飲む楽しみが増大する効果がある。
【００７１】  請求項８によれば、筒状飲口３の［００４６］、［００４７］、［００４８］、［００４９］、［００５０］、［００５１］に、記載の一孔筒状飲口３ａや二孔筒状飲口３ｂや三孔筒状飲口３ｃ及び横長孔筒状飲口３ｄと、孔状飲口４の［００５２］、［００５３］、［００５４］、［００５５］、［００５６］に、記載の一孔状飲口４ａや二孔状飲口４ｂや三孔状飲口４ｃ及び横長孔状飲口４ｄとを、組み合わせて設けた器１にすることにより、口腔内に流出する飲料の流出形状や流出量の違いを、飲み比べることが可能となり、筒状飲口３だけのときよりも、一段と変化に富んだ飲み方ができ、飲む楽しみが増大する効果がある。
【００７２】  請求項９によれば、筒状飲口３の［００４６］、［００４７］、［００４８］、［００４９］、［００５０］、［００５１］に、記載の一孔筒状飲口３ａや二孔筒状飲口３ｂや三孔筒状飲口３ｃ及び横長孔筒状飲口３ｄと、突片孔状飲口５の［００５７］、［００５８］、［００５９］、［００６０］、［００６１］、［００６２］、［００６３］に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、筒状飲口３だけのときよりも、一段と変化に富んだ飲み方ができ、飲む楽しみが増大する効果がある。
【００７３】  請求項１０によれば、孔状飲口４の［００５２］、［００５３］、［００５４］、［００５５］、［００５６］に、記載の一孔状飲口４ａや二孔状飲口４ｂや三孔状飲口４ｃ及び横長孔状飲口４ｄと、突片孔状飲口５の［００５７］、［００５８］、［００５９］、［００６０］、［００６１］、［００６２］、［００６３］に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、孔状飲口４だけのときよりも、一段と変化に富んだ飲み方ができ、飲む楽しみが増大する効果がある。
【００７４】  請求項１１によれば、縁状飲口２の従来縁状飲口２ａや［００４１］、［００４２］、［００４３］、［００４４］、［００４５］に、記載の平板突片縁状飲口２ｂや半円突片縁状飲口２ｃ及び波板突片縁状飲口２ｄと、筒状飲口３の［００４６］、［００４７］、［００４８］、［００４９］、［００５０］、［００５１］に、記載の一孔筒状飲口３ａや二孔筒状飲口３ｂや三孔筒状飲口３ｃ及び横長孔筒状飲口３ｄと、孔状飲口４の［００５２］、［００５３］、［００５４］、［００５５］、［００５６］に、記載の一孔状飲口４ａや二孔状飲口４ｂと三孔状飲口４ｃ及び横長孔状飲口４ｄとを、組み合わせて設けた器１にすることにより、口腔内に流出する飲料の流出形状や流出量の違いを、飲み比べることが可能となり、縁状飲口２と筒状飲口４だけのときよりも、なお一段と変化に富んだ飲み方ができ、飲む楽しみが一層増大する効果がある。
【００７５】  請求項１２によれば、縁状飲口２の従来縁状飲口２ａや［００４１］、［００４２］、［００４３］、［００４４］、［００４５］に、記載の平板突片縁状飲口２ｂや半円突片縁状飲口２ｃ及び波板突片縁状飲口２ｄと、筒状飲口３の［００４６］、［００４７］、［００４８］、［００４９］、［００５０］、［００５１］に、記載の一孔筒状飲口３ａや二孔筒状飲口３ｂや三孔筒状飲口３ｃ及び横長孔筒状飲口３ｄと、突片孔状飲口５の［００５７］、［００５８］、［００５９］、［００６０］、［００６１］、［００６２］、［００６３］に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、縁状飲口２と筒状飲口４だけのときよりも、なお一段と変化に富んだ飲み方ができ、飲む楽しみが一層増大する効果がある。
【００７６】  請求項１３によれば、縁状飲口２の従来縁状飲口２ａや［００４１］、［００４２］、［００４３］、［００４４］、［００４５］に、記載の平板突片縁状飲口２ｂや半円突片縁状飲口２ｃ及び波板突片縁状飲口２ｄと、孔状飲口４の［００５２］、［００５３］、［００５４］、［００５５］、［００５６］に、記載の一孔状飲口４ａや二孔状飲口４ｂや三孔状飲口４ｃ及び横長孔状飲口４ｄと、突片孔状飲口５の［００５７］、［００５８］、［００５９］、［００６０］、［００６１］、［００６２］、［００６３］に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、縁状飲口２と孔状飲口４だけのときよりも、なお一段と変化に富んだ飲み方ができ、飲む楽しみが一層増大する効果がある。
【００７７】  請求項１４によれば、筒状飲口３の［００４６］、［００４７］、［００４８］、［００４９］、［００５０］、［００５１］に、記載の一孔筒状飲口３ａや二孔筒状飲口３ｂや三孔筒状飲口３ｃ及び横長孔筒状飲口３ｄと、孔状飲口４の［００５２］、［００５３］、［００５４］、［００５５］、［００５６］に、記載の一孔状飲口４ａや二孔状飲口４ｂや三孔状飲口４ｃ及び横長孔状飲口４ｄと、突片孔状飲口５の［００５７］、［００５８］、［００５９］、［００６０］、［００６１］、［００６２］、［００６３］に、記載の弓板突片孔状飲口５ａや平板突片孔状飲口５ｂや半円突片孔状飲口５ｃ及び波板突片孔状飲口５ｄとを、組み合わせて設けた器１にすることにより、口腔内に流出する飲料の流出形状や流出量の違いを、飲み比べることが可能となり、筒状飲口３と孔状飲口４だけのときよりも、なお一段と変化に富んだ飲み方ができ、飲む楽しみが一層増大する効果がある。
【００７８】  請求項１５によれば、縁状飲口２の従来縁状飲口２ａや［００４１］、［００４２］、［００４３］、［００４４］、［００４５］に、記載の平板突片縁状飲口２ｂや半円突片縁状飲口２ｃ及び波板突片縁状飲口２ｄと、筒状飲口３の［００４６］、［００４７］、［００４８］、［００４９］、［００５０］、［００５１］に、記載の一孔筒状飲口３ａや二孔筒状飲口３ｂや三孔筒状飲口３ｃ及び横長孔筒状飲口３ｄと、孔状飲口４の［００５２］、［００５３］、［００５４］、［００５５］、［００５６］に、記載の一孔状飲口４ａや二孔状飲口４ｂや三孔状飲口４ｃ及び横長孔状飲口４ｄと、突片孔状飲口５の［００５７］、［００５８］、［００５９］、［００６０］、［００６１］、［００６２］、［００６３］に、記載の弓板突片孔状飲口５ａや平板突片孔状飲口５ｂや半円突片孔状飲口５４ｃ及び波板突片孔状飲口５ｄとを、組み合わせて設けた器１にすることにより、口腔内に流出する飲料の流出形状や流出量の違いを、飲み比べることが可能となり、縁状飲口２と筒状飲口３及び孔状飲口４だけのときよりも、なお一段と変化に富んだ飲み方ができ、飲む楽しみが一層増大する効果がある。
【００７９】  請求項１６によれば、縁状飲口２は器１の上部外側１０に下唇を押し付け、上唇中央部を少し開けてから器１を傾けると、器１に入れた飲料が器１の上縁１１と上唇中央部の隙間形状の大きさで、上縁１１より流出して口腔内に入っており、この時上唇がカバーをして、器１より余分な流出や零れ落ちるのを防止しており、一方筒状飲口３や孔状飲口４および突片孔状飲口５を、器１の上部外側１０に設けた器１では、飲口に口唇部を押しつけて器１を傾けると、飲口より飲むことはできるが、器１に入れた飲料が器１の上縁１１より余分な流出や零れ落ち現象が起り、このために器１の上部に零れ防止カバー６を取り付けることにより、飲料が器１の上縁１１より余分な流出や零れ落ちるのを防止する効果がある。
【００８０】  よって、零れ防止カバー６に、筒状飲口３や孔状飲口４および突片孔状飲口５を設け、この零れ防止カバー６を器１の上部に取り付けた器１にすると、飲料を入れる器１の部分と、筒状飲口３や孔状飲口４および突片孔状飲口５を設けた零れ防止カバー６の部分を別々に製作し、後でこの零れ防止カバー６を器１の上部に取り付けて一体化することにより、形状の異なる複数の飲口を設けた器が簡単、容易に製作することができる利点がある。
【００８１】  また、筒状飲口３や孔状飲口４および突片孔状飲口５を設けた零れ防止カバー６に、飲料を注入する注入口１４を設けることにより、器１に飲料のスムーズな注入作業や注入状況や残量の確認ができる効果がある。
【００８２】  また、図９や図１０に示すように、零れ防止カバー６を器１の外側１０より広くした把手部１８を設けることにより、両手で把手部１８を握って器１を傾けたり、また片手で器１の外側１０を親指とその他の指で挟み、親指と人差し指で把手部１８の下側を支えることにより、器１を手から滑って落とすことなく器１に入れた飲料を飲むことができて、単純でデザイン的にも優れた把手の製作が簡単容易にできる多数の効果を奏する。
【００８３】  また、図８に示すように、零れ防止カバー６を器１の外側１０より広くした雌螺子部１９ａ設け、一方の器１の外側１０の上部に雄螺子部１９ｂを設けることにより、形状の異なる複数の飲口を設けた零れ防止カバー６と器１が着脱自在となり、零れ防止カバー６の裏側や器１の内側１２の洗浄が簡単容易にできる効果がある。
【００８４】  また、使用目的により雄螺子部１９ｂを設けた器１に、組み合わせの異なる複数の飲口を持つ別の雌螺子部１９ａ設けた零れ防止カバー６を取り付けて飲料を楽しむことも可能となる。
【００８５】  請求項１７によれば、飲口に設けた口唇部位置ガイド１３に、口唇部を合わせることにより、最適な位置から器１の飲料を飲むことができる効果がある。
【００８６】  また、飲口に設けた口唇部位置ガイド１３にも、口唇部を接触させることができるので、口唇部の触圧覚がより多くなり、感覚を一段と高める効果がある。
【００８７】  また、孔状飲口４に口唇部位置ガイド１３を設けると、飲料飲み終り時に飲口より器１の外側１０に飲料の垂れ落ちるのを口唇部位置ガイド１３で受け止めることができることにより器１の外側１０を汚さない効果がある。
【００８８】  また、突片１５や流出筒８を設けた飲口においては、突片１５や流出筒８を取り付けた取付部１７に口唇部位置ガイド１３を設けることにより、取付部１７の補強ができる利点がある。
【００８９】  そして、コップ等に入れたお茶やジュース等をよく零すことがある高齢者等には、形状の異なる筒状飲口３や孔状飲口４を複数設けた零れ防止カバー６に把手部１８や雌螺子部１９ａ設け、一方に雄螺子部１９ｂを設けた器１を提供することにより、器１に入れたお茶やジュース等を零さず、飲むのに違和感がなく、楽しく飲むことができ、器１を手から滑って落とすことなく、器１の洗浄が簡単容易にでき、実用価値が大となる。
【００９０】  本発明は、以上のような効果と利点を有した、きわめて優秀な形状の異なる複数の飲口を有する器であり、器の付加価値を高めた優れた商品となる。
【発明を実施するための最良の形態】
【００９１】  以下、本発明の実施の形態を図１〜図１１に基づいて説明する。【００９２】  図１は本発明の縁状飲口２の従来縁状飲口２ａ、平板縁状飲口２ｂ、半円縁状飲口２ｃ、波板縁状飲口２ｄを組み合わせて、器１の上縁１１に四等分割の適宜位置に配設した一例を示す図であり、従来縁状飲口２ａにおいては、器１の外側１０に従来縁状飲口２ａから飲料を飲むのに最適な適宜位置で、口唇部の下唇に不快感を与えない所要形状からなる通常は紐状の口唇部位置ガイド１３が、下唇状に装設されている。【００９３】  そして、平板突片縁状飲口２ｂにおいては、口唇部に不快感を与えず器の大きさ等による所要寸法からなり通常は巾１０ｍｍ〜４０ｍｍ、長さ１０ｍｍ〜５０ｍｍ、厚さ２ｍｍ〜５ｍｍで、所要形状からなる通常は平板状片であるが、円盤状片、ハート形片、舌状片等も使用可能の突片１５の平板突片１５ｂを上縁１１より下側に、通常は２ｍｍ〜５ｍｍの所要段差２０を設け、平板突片１５ｂを器１の外側１０に向かって所要角度（通常、突片１５の傾斜角度は４５度であるが水平位置から垂直位置まで可能である）の上向きで突設固定し、［００９２］記載の口唇部位置ガイド１３で取付部１７を補強する状態で装設されている。【００９４】  また、半円突起縁状飲口２ｃにおいては、口唇部に不快感を与えず器の大きさ等による所要寸法からなり通常は内径１０ｍｍ〜３０ｍｍ、長さ１０ｍｍ〜５０ｍｍ、厚さ２ｍｍ〜５ｍｍの所要形状からなる通常は半円状片であるが、Ｕ字状片、ｖ字状片等も使用可能の突片１５の半円突片１５ｃを上縁１１より下側に、通常は半円突片１５ｃの内径だけの段差２０を設け、半円突片１５ｃを器１の外側１０に向かって所要角度の上向きで突設固定し、口唇部位置ガイド１３で取付部１７を補強する状態で装設されている。【００９５】  また、波板突片縁状飲口２ｄにおいては、口唇部に不快感を与えず器の大きさ等による所要寸法からなり通常は内径７ｍｍ〜１５ｍｍ、長さ１０ｍｍ〜５０ｍｍ、厚さ２ｍｍ〜５ｍｍの所要形状からなる通常は半円状片であるが、Ｕ字状片、ｖ字状片等も使用可能の半円突片１５ｃを通常は二個並設するが三個並設も可能で、この半円突片１５ｃを二個並設固定した突片１５の波板突片１５ｄを上縁１１より下側に、通常は波板突片１５ｃの内径だけの段差２０を設け、波板突片１５ｄを器１の外側１０に向かって所要角度の上向きで突設固定し、口唇部位置ガイド１３で取付部１７を補強する状態で装設されている。【００９６】  尚、縁状飲口２の従来縁状飲口２ａ、平板縁状飲口２ｂ、半円縁状飲口２ｃ、波板縁状飲口２ｄを、器１の大きさ等により二種類から四種類を組み合わせて、器１の上縁１１に等分割の適宜位置に配設して用いる。【００９７】  次に、図２は本発明の筒状飲口３の一孔筒状飲口３ａ、二孔筒状飲口３ｂ、三孔筒状飲口３ｃ、横長孔筒状飲口３ｄを組み合わせ、中央部に注入口１４を穿設した零れ防止カバー６の四等分割の適宜位置に配設し、この零れ防止カバー６を器１の上縁１１に冠着固定した一例を示す図である。【００９８】  そして、器１の飲料が流出する筒状飲口３の一孔筒状飲口３ａ、二孔筒状飲口３ｂ、三孔筒状飲口３ｃの先端流出孔９や、後記する孔状飲口４の一孔状飲��４ａ、二孔状飲口４ｂ、三孔状飲口４ｃの流出孔７の形状は、通常は円形であるが、四角形、長方形、楕円形、菱形、ハート形、星形も使用可能である。【００９９】  また、先端流出孔９や流出孔７の孔の大きさは、小孔、中孔、大孔があり、器１の大きさや使用目的により所要径の大きさの孔を適宜使用し、小孔は器１を傾けると先端流出孔９や流出孔７より流出する大きさで、直径１ｍｍ〜３ｍｍで、通常は２ｍｍを使用し、中孔は３ｍｍ〜６ｍｍで、通常は４．５ｍｍを使用し、大孔は６ｍｍ〜１２ｍｍで、通常は９ｍｍを使用し、孔と孔の間隔は、通常は孔の横幅を用いるが使用目的により所要間隔で開けることも可能で、複数孔を使用する時には通常横に併設するが、縦に併設するのも可能であるのと、小孔、中孔、大孔を組み合わせて使用することも好適な態様である。【０１００】  また、横長孔筒状飲口３ｄや横長孔状飲口４ｄの先端流出孔９や流出孔７の形状は、通常は横長状楕円形であるが長方形も使用可能であり、孔の大きさは、縦１ｍｍ〜６ｍｍで横１０ｍｍ〜４０ｍｍの横長孔を、器１の大きさや使用目的により所要の大きさの横長孔を適宜使用するが、小孔を５個から７個位横長状に並べて使用することも可能である。【０１０１】  また、筒状飲口３の一孔筒状飲口３ａの筒形状は、通常は所要の円形状中空筒を使用するが、三角形状や四角形状及び球形状や楕円形状の中空筒も使用可能であり、二孔筒状飲口３ｂや三孔筒状飲口３ｃは、通常は所要の楕円形状中空筒の先端流出孔９の個所で二孔や三孔にするが、所要の円形状中空筒二併設や三併設も使用可能であり、横長孔筒状飲口３ｄは、通常所要の薄い楕円形状中空筒を使用するが、所要の薄い長方形状中空筒も使用可能である。【０１０２】  また、口唇部に不快感を与えず器の大きさ等により［００９８］、［００９９］、［０１００］に記載の所要形状で所要寸法からなる、一孔筒状飲口３ａと二孔筒状飲口３ｂと三孔筒状飲口３ｃ及び横長孔筒状飲口３ｄを、中央部に注入口１４を穿設した零れ防止カバー６の四等分割の適宜位置に、器１の外側１０に向かって所要角度（通常傾斜角度は４５度であるが水平位置から垂直位置まで可能である）の上向きで突設固定し、［００９２］記載の口唇部位置ガイド１３で各取付部１７を補強する状態で装設されて、この零れ防止カバー６を器１の上縁１１に冠着固定する。【０１０３】  尚、筒状飲口３の一孔筒状飲口３ａ、二孔筒状飲口３ｂ、三孔筒状飲口３ｃ、横長孔筒状飲口３ｄを、器１の大きさ等により二種類から四種類を組み合わせて、零れ防止カバー６の等分割の適宜位置に配設して、器１の上縁１１に冠着固定する。【０１０４】  次に、図３は本発明の孔状飲口４の一孔状飲口４ａ、二孔状飲口４ｂ、三孔状飲口４ｃ、横長孔状飲口４ｄを組み合わせ、中央部に注入口１４を穿設した零れ防止カバー６の四等分割の適宜位置に穿設し、この零れ防止カバー６を器１の上縁１１に冠着固定した一例を示す図である。【０１０５】  そして、口唇部に不快感を与えず器の大きさ等により［００９８］、［００９９］、［０１００］に記載の所要形状で所要寸法からなる、一孔状飲口４ａと二孔状飲口４ｂと三孔状飲口４ｃ及び横長孔状飲口４ｄを、中央部に注入口１４を穿設した零れ防止カバー６の四等分割の適宜位置に穿設し、この穿設した孔から飲料を最適に飲むことができ、口唇部に不快感を与えず孔状飲口４の大きさ等により、［００９２］記載の口唇部位置ガイド１３で孔状飲口４の回りを囲んだ状態でで装設されて、この零れ防止カバー６を器１の上縁１１に冠着固定する。【０１０６】  尚、孔状飲口４の一孔状飲口４ａ、二孔状飲口４ｂ、三孔状飲口４ｃ、横長孔状飲口４ｄを、器１の大きさ等により二種類から四種類を組み合わせて、零れ防止カバー６の等分割の適宜位置に穿設して、器１の上縁１１に冠着固定する。【０１０７】  次に、図４は本発明の突片孔状飲口５の弓板突片孔状飲口５ａ、平板突片孔状飲口５ｂ、半円突片孔状飲口５ｃ、波板突片孔状飲口５ｄを組み合わせ、中央部に注入口１４を穿設した零れ防止カバー６の四等分割の適宜位置に配設し、この零れ防止カバー６を器１の上縁１１に冠着固定した一例を示す図である。【０１０８】  そして、口唇部に不快感を与えず器の大きさ等により［００９３］、［００９４］、［００９５］に記載の所要形状で所要寸法からなる、突片１５の平板突片１５ｂと半円突片１５ｃと波板突片１５ｄ及び弓板突片１５ａを、中央部に注入口１４を穿設した零れ防止カバー６の四等分割の適宜位置に、各突片を配設する所要形状の孔を穿設し、この穿設した孔に平板突片１５ｂと半円突片１５ｃと波板突片１５ｄ及び弓板突片１５ａを、器１の外側１０に向かって所要角度（通常傾斜角度は４５度であるが水平位置から垂直位置まで可能である）の上向きで突設固定し、［００９２］記載の口唇部位置ガイド１３で各取付部１７を補強する状態で装設されて、この零れ防止カバー６を器１の上縁１１に冠着固定する。【０１０９】  また、弓板突片１５ａにおいては、口唇部に不快感を与えず器の大きさ等による所要寸法からなり、通常は縦幅２ｍｍ〜７ｍｍで、横幅１０ｍｍ〜４０ｍｍ、長さ１０ｍｍ〜５０ｍｍ、厚さ２ｍｍ〜５ｍｍの所要形状からなる弓状片を用いる【０１１０】  尚、突片孔状飲口５の弓板突片孔状飲口１５ａ、平板突片孔状飲口１５ｂ、半円突片孔状飲口１５ｃ、波板突片孔状飲口１５ｄを、器１の大きさ等により二種類から四種類を組み合わせて、零れ防止カバー６の等分割の適宜位置に配設して、器１の上縁１１に冠着固定する。【０１１１】  よって、前記した縁状飲口２の従来縁状飲口２ａ、平板縁状飲口２ｂ、半円縁状飲口２ｃ、波板縁状飲口２ｄや筒状飲口３の一孔筒状飲口３ａ、二孔筒状飲口３ｂ、三孔筒状飲口３ｃ、横長孔筒状飲口３ｄと孔状飲口４の一孔状飲口４ａ、二孔状飲口４ｂ、三孔状飲口４ｃ、横長孔状飲口４ｄ及び突片孔状飲口５の弓板突片孔状飲口５ａ、平板突片孔状飲口５ｂ、半円突片孔状飲口５ｃ、波板突片孔状飲口５ｄを、器１の大きさや使用目的等により二種類から四種類を組み合わせて、零れ防止カバー６や上縁１１の等分割の適宜位置に配設固定して、形状の異なる複数の飲口を有する器を製作する。【０１１２】  次に、図５は本発明の縁状飲口２の半円突片縁状飲口２ｃと孔状飲口４の二孔状飲口４ｂの二組を組み合わせて、半円突片縁状飲口２ｃの半円突片１５ｃを、器１の上縁１１に外側１０に向かって所要角度の上向きで突設固定し、口唇部位置ガイド１���で取付部１７を補強する状態で装設され、一方対向する位置に二孔状飲口４ｂが、半蓋状態の零れ防止カバー６の適宜位置に穿設し、この零れ防止カバー６を器１の上縁１１に冠着固定した一例を示す図である。【０１１３】  次に、図６は本発明の筒状飲口３の二孔筒状飲口３ｂと孔状飲口４の横長孔状飲口４ｄ及び突片孔状飲口５の平板突片孔状飲口５ｂの三組を組み合わせて、中央部に注入口１４を穿設した零れ防止カバー６の三等分割の適宜位置に配設し、この零れ防止カバー６を器１の上縁１１に冠着固定した一例を示す図である。【０１１４】  次に、図７は本発明の縁状飲口２の平板突片縁状飲口２ｂと筒状飲口３の横長孔筒状飲口３ｄと孔状飲口４の三孔状飲口４ｃ及び突片孔状飲口５の波板突片孔状飲口５ｄの四組を組み合わせて、平板突片縁状飲口２ｂの平板突片１５ｂを、器１の上縁１１に外側１０に向かって所要角度の上向きで突設固定し、平板突片縁状飲口２ｂ側部分を切り欠き、中央部に注入口１４を穿設した零れ防止カバー６の三等分割の適宜位置に筒状飲口３の横長孔筒状飲口３ｄと孔状飲口４の三孔状飲口４ｃ及び突片孔状飲口５を配設し、この零れ防止カバー６を器１の上縁１１に冠着固定した一例を示す図である。【０１１５】  次に、図８は本発明の筒状飲口３の横長孔筒状飲口３ｄと孔状飲口４の二孔状飲口４ｂ及び突片孔状飲口５の弓板突片孔状飲口５ａの三組を組み合わせ、零れ防止カバー６を器１より着脱自在にするための所要の雌螺子部１９ａ（螺子部分は図示せず）を周設し、中央部に注入口１４を穿設した零れ防止カバー６の三等分割の適宜位置に、筒状飲口３の横長孔筒状飲口３ｄと孔状飲口４の二孔状飲口４ｂ及び弓板突片孔状飲口５ａを配設し、この零れ防止カバー６を器１より着脱自在にするために、器１の上部外側１０に所要の雄螺子部１９ｂを刻設した一例を示し、矢印で零れ防止カバー６の開け閉めの回転方向及び着脱方向を示した図である。【０１１６】  次に、図９は本発明の筒状飲口３の一孔筒状飲口３ａと孔状飲口４の横長孔状飲口４ｄの二組を組み合わせて、器１の外側１０より所要部分だけ広くした把手部１８を突設し、中央部に注入口１４を穿設した零れ防止カバー６の二等分割の適宜位置に筒状飲口３の一孔筒状飲口３ａと孔状飲口４の横長孔状飲口４ｄを配設し、この把手部１８を突設した零れ防止カバー６を器１の上縁１１に冠着固定し、零れ防止カバー６に把手部１８を突設した一例を示す図である。【０１１７】  次に、図１０は本発明の縁状飲口２の従来縁状飲口２ａと筒状飲口３の二孔筒状飲口３ｂの二組を組み合わせて、従来縁状飲口２ａの対向する位置に、二孔筒状飲口３ｂが器１の外側１０より所要部分だけ広くした把手部１８を突設した半蓋状態の零れ防止カバー６の適宜位置に配設し、この把手部１８を突設した零れ防止カバー６を器１の上縁１１に冠着固定し、零れ防止カバー６に把手部１８を突設した一例を示す図である。【０１１８】  次に、図１１は本発明の筒状飲口３の三孔筒状飲口３ｃと横長孔筒状飲口３ｄの二組を組み合わせ、零れ防止カバー６を器１より着脱自在にするための所要の雌螺子部１９ａ（螺子部分は図示せず）を周設し、中央部に注入口１４を穿設した零れ防止カバー６の二等分割の適宜���置に、筒状飲口３の三孔筒状飲口３ｃと横長孔筒状飲口３ｄを配設し、器１の外側１０より所要部分だけ広くした把手部１８を雌螺子部１９ａに突設して、この零れ防止カバー６を器１より着脱自在にするために、器１の上部外側１０に所要の雄螺子部１９ｂを刻設した一例を示し、矢印で零れ防止カバー６の開け閉めの回転方向及び着脱方向を示した図である。【０１１９】  尚、図２、図３、図４、図５、図６、図７、図８、図９、図１０、図１１に示す零れ防止カバー６は、器１の大きさや使用目的により所要厚さの平板形状を使用するが、所要勾配からなる曲面板を用いることも可能である。【０１２０】  また、図２、図３、図４、図６、図７、図８、図９、図１１に示す注入口１４は、器１の大きさや飲口の種類及び飲口の配設位置等により、所要形状で通常は円形状を用いるが、四角形状や三角形状やハート形状及び扇形状も可能の所要大きさの注入口１４を適宜選定して用い、縁状飲口２を用いる場合には、注入口１４は不要になり、図５、図７、図１０に示す零れ防止カバー６を切り欠いて使用しするが、この零れ防止カバー６の半蓋状を任意形状にして用いることも可能である。【０１２１】  そして、器１や流出筒８や突片１５及び零れ防止カバー６や口唇部位置ガイド１３は、飲料の種類や使用目的等により、材質は陶磁器製、ガラス製、ステンレスやアルミミュムの金属製、プラスチック製、合成ゴム製等を使用し、特に雌螺子部１９ａや雄螺子部１９ｂを設ける器１や零れ防止カバー６にはプラスチック製を用い、材質に対応した最適な方法で製造する。
【図面の簡単な説明】
【０１２２】
【図１】  本発明の実施の形態を示す斜視図である。
【図２】  本発明の実施の形態を示す斜視図である。
【図３】  本発明の実施の形態を示す斜視図である。
【図４】  本発明の実施の形態を示す斜視図である。
【図５】  本発明の実施の形態を示す斜視図である。
【図６】  本発明の実施の形態を示す斜視図である。
【図７】  本発明の実施の形態を示す斜視図である。
【図８】  本発明の実施の形態を示す説明図である。
【図９】  本発明の実施の形態を示す斜視図である。
【図１０】  本発明の実施の形態を示す斜視図である。
【図１１】  本発明の実施の形態を示す説明図である。
【符号の説明】
【０１２３】１    器
２    縁状飲口
３    筒状飲口
４    孔状飲口
５    突片孔状飲口
６    零れ防止カバー
７    口唇部位置ガイド